(57)【特許請求の範囲】
【請求項１】
コンポーネントキャリア上で起こる同時ＰＵＳＣＨ（physical uplink shared channel）／ＰＵＣＣＨ（Physical Uplink Control Channel）送信に対する電力ヘッドルームを報告する方法であって、
少なくともＰＵＳＣＨ送信電力およびＰＵＣＣＨ送信電力に基づいて電力ヘッドルームを決定するステップと、
ＰＵＣＣＨ送信がない場合に基準ダウンリンク制御情報フォーマットから前記ＰＵＣＣＨ送信電力を導出するステップと、
前記電力ヘッドルームを送信するステップと
を備えることを特徴とする方法。
【請求項２】
ＰＵＳＣＨ電力ヘッドルームを決定するステップと、
前記ＰＵＳＣＨ電力ヘッドルームを送信するステップと
をさらに備えることを特徴とする請求項１に記載の方法。
【請求項３】
同時ＰＵＳＣＨ／ＰＵＣＣＨ送信を行わないコンポーネントキャリアに対する少なくともＰＵＳＣＨ送信電力に基づいて電力ヘッドルームを決定するステップをさらに備えることを特徴とする請求項１に記載の方法。
【請求項４】
前記電力ヘッドルームは、前記コンポーネントキャリアの最大送信電力と前記ＰＵＳＣＨ送信電力と前記ＰＵＣＣＨ送信電力との間の差であることを特徴とする請求項１に記載の方法。
【請求項５】
トリガ後に現在の送信方式組合せのすべてのコンポーネントキャリアに対する前記電力ヘッドルームを送信するステップと、
前記送信方式組合せに対して禁止および周期的タイマを再起動するステップと
をさらに備えることを特徴とする請求項１に記載の方法。
【請求項６】
電力ヘッドルームを報告するステップは、禁止タイマがタイムアウトするとトリガされ、前記現在の送信方式は、前の送信の送信方式組合せとは異なることを特徴とする請求項５に記載の方法。
【請求項７】
グループに基づいて電力ヘッドルームの報告を制御するステップをさらに備え、前記グループは、コンポーネントキャリアおよび電力増幅器のうちの少なくとも１つを含むことを特徴とする請求項１に記載の方法。
【請求項８】
前記グループは、無線送受信ユニットによって決定されることを特徴とする請求項７に記載の方法。
【請求項９】
前記基地局から前記グループを受信するステップをさらに備えることを特徴とする請求項７に記載の方法。
【請求項１０】
前記グループは、前記グループのすべてのメンバに対する１つの報告構成を使用することを特徴とする請求項７に記載の方法。
【請求項１１】
コンポーネントキャリア上で起こる同時ＰＵＳＣＨ（physical uplink shared channel）／ＰＵＣＣＨ（Physical Uplink Control Channel）送信に対する電力ヘッドルームを報告する方法を実行する無線送信／受信ユニットであって、
少なくともＰＵＳＣＨ送信電力およびＰＵＣＣＨ送信電力に基づいて電力ヘッドルームを決定するように構成されたプロセッサと、
ＰＵＣＣＨ送信がない場合に基準ダウンリンク制御情報フォーマットから前記ＰＵＣＣＨ送信電力を導出するように構成された前記プロセッサと、
前記電力ヘッドルームを送信するように構成された送信機と
を備えることを特徴とする無線送信／受信ユニット。
【発明の詳細な説明】
【技術分野】
【０００１】
本出願は、無線通信に関する。
【背景技術】
【０００２】
無線送受信ユニット（ＷＴＲＵ）の送信電力は、ＷＴＲＵによって行われる測定の結果および高度化ノードＢ（ｅＮｏｄｅＢ）から受信したデータに基づきＷＴＲＵ内で決定されることができる。ＷＴＲＵ送信電力制御は、サービス品質（ＱｏＳ）を維持すること、セル間干渉を制御すること、ＷＴＲＵの電池寿命を最大限延長することなどのために使用されることができる。
【０００３】
第３世代パートナーシッププロジェクト（３ＧＰＰ）のＬＴＥ（Long Term Evolution）では、アップリンク（ＵＬ）電力制御を利用して、長期フェージング（経路損失およびシャドウイングを含む）を補償し、その一方で、セル間干渉を低減し、ＷＴＲＵの電力増幅器（ＰＡ）がＷＴＲＵの線形領域を超えて動作するのを防ぐため、および／またはＷＴＲＵがネットワークによって課される最大送信電力限界、規制要件などの条件を超えるのを防ぐために、ＷＴＲＵがその最大電力プロシージャを呼び出さなければならない事態を回避するようにできる。ＬＴＥ電力制御方法は、開ループと閉ループとを組み合わせた電力制御方法を含むことができる。ＬＴＥリリース８（Ｒ８）およびＬＴＥリリース９（Ｒ９）では、ＷＴＲＵは、単一のキャリア上で１つの電力増幅器（ＰＡ）により機能を果たせる１本のアンテナから送信する。開ループおよび閉ループ電力制御関係のデータは、単一の送信経路に対してｅＮｏｄｅＢとＷＴＲＵとの間で交換される。
【０００４】
ＬＴＥ  Ｒ８およびＲ９では、ｅＮｏｄｅＢが異なるＷＴＲＵのＵＬ送信リソースをスケジュールするのを補助するために、電力ヘッドルームが使用されることができる。ＬＴＥでは、ＷＴＲＵからｅＮｏｄｅＢに報告される電力ヘッドルームは、公称ＷＴＲＵ最大送信電力と単一のキャリアに対するＰＵＳＣＨ送信の推定電力との差である。単一のキャリアに対してネットワークによって課される最大送信電力は、ｅＮｏｄｅＢによってＷＴＲＵにシステム情報の中でシグナリングされる。ＷＴＲＵの電力クラス、そのＰＡの能力などの追加の制限があることで、ヘッドルームの計算のためにＷＴＲＵによって使用される最大送信電力が低減されうる。
【０００５】
電力ヘッドルームおよび他の電力制御関係のデータの計算およびシグナリングためのＬＴＥ  Ｒ８およびＲ９の方法は、複数のＷＴＲＵのＰＡを必要としうる複数のコンポーネントキャリア（ＣＣ）をサポートしようにも十分でないことがある。
【発明の概要】
【０００６】
電力制御の方法および装置を説明する。１つまたは複数のＷＴＲＵの電力増幅器（ＰＡ）で送信を行うことができる複数のコンポーネントキャリア（ＣＣ）をサポートするための電力制御関係のデータの計算およびシグナリングの方法を含む。
【０００７】
ＣＣ特有の電力制御関係のデータおよびＰＡ特有の電力制御関係のデータの１つまたは複数を計算およびシグナリングする方法を含む。電力制御関係のデータは、最大電力、電力ヘッドルーム、および送信電力のうちの１つまたは複数を含みうる。どの電力制御関係のデータを交換すべきかを選択する方法を含む。物理ＵＬ共有チャネル（ＰＵＳＣＨ）、物理ＵＬ制御チャネル（ＰＵＣＣＨ）、並びにＰＵＳＣＨおよびＰＵＣＣＨ同時送信についての電力制御関係のデータを計算およびシグナリングする方法を含む。
【図面の簡単な説明】
【０００８】
本発明の詳細は、例えば添付図面と併せて、以下の説明を読むとさらによく理解することができる。
【０００９】
【図１Ａ】１つまたは複数の開示されている実施形態が実装されうる例示的な通信システムのシステム図である。
【図１Ｂ】図１Ａに示される通信システム内で使用されうる例示的な無線送受信ユニット（ＷＴＲＵ）のシステム図である。
【図１Ｃ】図１Ａに示される通信システム内で使用されうる例示的な無線アクセスネットワークおよび例示的なコアネットワークのシステム図である。
【図２】ＣＣ特有のヘッドルームをシグナリングする方法の例示的な流れ図である。
【図３】ＣＣ特有のヘッドルームをシグナリングする方法の例示的な流れ図である。
【図４】ＣＣ特有のヘッドルームをシグナリングする方法の例示的な流れ図である。
【図５】電力ヘッドルームの報告方法を示す例示的な図である。
【発明を実施するための形態】
【００１０】
図１Ａは、１つまたは複数の開示されている実施形態が実装されうる例示的な通信システム１００の図である。通信システム１００は、音声、データ、ビデオ、メッセージング、放送などのコンテンツを複数のワイヤレスユーザに提供する多元接続システムであるものとしてよい。通信システム１００は、ワイヤレス帯域を含む、システムリソースの共有を通じて複数のワイヤレスユーザがそのようなコンテンツにアクセスすることを可能にするものとしてよい。例えば、通信システム１００は、ＣＤＭＡ（code division multiple access）、ＴＤＭＡ（time division multiple access）、ＦＤＭＡ（frequency division multiple access）、ＯＦＤＭＡ（Orthogonal FDMA）、ＳＣ−ＦＤＭＡ（single-carrier FDMA）などの１つまたは複数のチャネルアクセス方法を使用することができる。
【００１１】
図１Ａに示されているように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むものとしてよいが、開示されている実施形態では、任意の数のＷＴＲＵ、基地局、ネットワーク、および／またはネットワーク要素を企図している。ＷＴＲＵ１０２ａ、１０２ｂ、１０２ｃ、１０２ｄのそれぞれは、ワイヤレス環境において動作し、および／または通信するように構成された任意の種類のデバイスとすることができる。例えば、ＷＴＲＵ１０２ａ、１０２ｂ、１０２ｃ、１０２ｄはワイヤレス信号を送信し、および／または受信するように構成することができ、ユーザ装置（ＵＥ）、移動局、固定または移動加入者ユニット、ページャー、携帯電話、携帯情報端末（ＰＤＡ）、スマートフォン、ラップトップ、ノートブック、パーソナルコンピュータ、ワイヤレスセンサ、家庭用電化製品などを含みうる。
【００１２】
通信システム１００は、基地局１１４ａおよび基地局１１４ｂを備えることもできる。基地局１１４ａ、１１４ｂのそれぞれは、コアネットワーク１０６、インターネット１１０、および／またはネットワーク１１２などの、１つまたは複数の通信ネットワークへのアクセスが円滑に行われるようにＷＴＲＵ１０２ａ、１０２ｂ、１０２ｃ、１０２ｄのうちの少なくとも１つのＷＴＲＵとワイヤレス方式でインターフェースする構成をとる任意の種類のデバイスとすることができる。例えば、基地局１１４ａ、１１４ｂは、無線基地局装置（ＢＴＳ：base transceiver station）、ノードＢ、ｅＮｏｄｅＢ、ホームノードＢ、ホームｅＮｏｄｅＢ、サイトコントローラ、アクセスポイント（ＡＰ）、無線ルータなどとすることができる。基地局１１４ａ、１１４ｂは、それぞれ、単一要素として示されているが、基地局１１４ａ、１１４ｂは任意の数の相互接続された基地局および／またはネットワーク要素を備えることができることは理解されるであろう。
【００１３】
基地局１１４ａは、基地局制御装置（ＢＳＣ）、無線ネットワークコントローラ（ＲＮＣ）、中継ノードなどの、他の基地局および／またはネットワーク要素（図示せず）も備えることができる、ＲＡＮ１０４の一部であってもよい。基地局１１４ａおよび／または基地局１１４ｂは、セル（図示せず）とも称することができる、特定の地理的領域内でワイヤレス信号を送信し、および／または受信するように構成されうる。セルは、いくつかのセルセクタにさらに分割することができる。例えば、基地局１１４ａに関連付けられているセルは、３つのセクタに分割することができる。そこで、一実施形態において、基地局１１４ａは、３つのトランシーバ、つまり、セルのセクタ毎にトランシーバを１つずつ備えることができる。別の実施形態において、基地局１１４ａは、ＭＩＭＯ（Multiple Input Multiple Output）技術を使用することができ、したがって、セルのそれぞれのセクタに対して複数のトランシーバを使用することができる。
【００１４】
基地局１１４ａ、１１４ｂは、ＷＴＲＵ１０２ａ、１０２ｂ、１０２ｃ、１０２ｄのうちの１つまたは複数と、任意の好適な無線通信リンク（例えば、無線周波数（ＲＦ）、マイクロ波、赤外線（ＩＲ）、紫外線（ＵＶ）、可視光などの）であってよい、エアインターフェース１１６を介して通信することができる。エアインターフェース１１６は、任意の好適な無線アクセス技術（ＲＡＴ）を使用して確立されることができる。
【００１５】
より具体的には、上記のように、通信システム１００は多元接続システムとすることができ、ＣＤＭＡ、ＴＤＭＡ、ＦＤＭＡ、ＯＦＤＭＡ、ＳＣ−ＦＤＭＡなどの、１つまたは複数のチャネルアクセス方式を使用することができる。例えば、ＲＡＮ１０４内の基地局１１４ａ、およびＷＴＲＵ１０２ａ、１０２ｂ、１０２ｃでは、広帯域ＣＤＭＡ（ＷＣＤＭＡ）を使用してエアインターフェース１１６を確立することができるＵＴＲＡ（UMTS(Universal Mobile Telecommunications System) Terrestrial Radio Access）などの無線技術を実装することができる。ＷＣＤＭＡは、ＨＳＰＡ（High Speed Packet Access）および／または発展型ＨＳＰＡ（ＨＳＰＡ＋）などの通信プロトコルを備えることができる。ＨＳＰＡは、ＨＳＤＰＡ（High Speed Downlink Packet Access）および／またはＨＳＵＰＡ（High Speed Uplink Packet Access）を備えることができる。
【００１６】
別の実施形態において、基地局１１４ａおよびＷＴＲＵ１０２ａ、１０２ｂ、１０２ｃは、ＬＴＥおよび／またはＬＴＥ−Ａ（LTE-Advanced）を使用してエアインターフェース１１６を確立することができる、Ｅ−ＵＴＲＡ（Evolved UMTS Terrestrial Radio Access）などの無線技術を実装することができる。
【００１７】
他の実施形態において、基地局１１４ａおよびＷＴＲＵ１０２ａ、１０２ｂ、１０２ｃは、ＩＥＥＥ８０２．１６（つまり、ＷｉＭＡＸ：Worldwide Interoperability for Microwave Access）、ＣＤＭＡ２０００、ＣＤＭＡ２０００  １Ｘ、ＣＤＭＡ２０００  ＥＶ−ＤＯ、ＩＳ−２０００（Interim Standard 2000）、ＩＳ−９５（Interim Standard 95）、ＩＳ−８５６（Interim Standard 856）、ＧＳＭ（登録商標）（Global System for Mobile communications）、ＥＤＧＥ（Enhanced Data rates for GSM Evolution）、ＧＥＲＡＮ（GSM EDGE）などの無線技術を実装することができる。
【００１８】
図１Ａの基地局１１４ｂは、例えば、無線ルータ、ホームノードＢ、ホームｅＮｏｄｅＢ、またはアクセスポイントとすることができ、事業所、家庭、自動車、キャンパスなどの、局在化されたエリア内でワイヤレス接続を円滑に行えるようにするために好適なＲＡＴを利用することができる。一実施形態において、基地局１１４ｂおよびＷＴＲＵ１０２ｃ、１０２ｄは、ワイヤレスローカルエリアネットワーク（ＷＬＡＮ）を構築するためにＩＥＥＥ８０２．１１などの無線技術を実装することができる。別の実施形態において、基地局１１４ｂおよびＷＴＲＵ１０２ｃ、１０２ｄは、ワイヤレスパーソナルエリアネットワーク（ＷＰＡＮ）を構築するためにＩＥＥＥ８０２．１５などの無線技術を実装することができる。さらに別の実施形態において、基地局１１４ｂおよびＷＴＲＵ１０２ｃ、１０２ｄは、ピコセルまたはフェムトセルを構築するためにセルラベースのＲＡＴ（例えば、ＷＣＤＭＡ、ＣＤＭＡ２０００、ＧＳＭ、ＬＴＥ、ＬＴＥ−Ａなど）を利用することができる。図１Ａに示されているように、基地局１１４ｂは、インターネット１１０との直接接続を有することができる。そうすると、基地局１１４ｂは、コアネットワーク１０６を介してインターネット１１０にアクセスする必要がなくなる。
【００１９】
ＲＡＮ１０４は、コアネットワーク１０６と通信しているものとしてよく、このコアネットワーク１０６は、音声、データ、アプリケーション、および／またはＶｏＩＰ（Voice over Internet Protocol）サービスをＷＴＲＵ１０２ａ、１０２ｂ、１０２ｃ、１０２ｄのうちの１つまたは複数のＷＴＲＵに提供するように構成された任意の種類のネットワークであってよい。例えば、コアネットワーク１０６は、呼制御、課金サービス、モバイル位置情報サービス、前払い制通話、インターネット接続性、映像配信などを提供し、および／またはユーザ認証などの高水準のセキュリティ機能を備えることができる。図１Ａには示されていないが、ＲＡＮ１０４および／またはコアネットワーク１０６は、ＲＡＮ１０４と同じＲＡＴ、または異なるＲＡＴを使用する他のＲＡＮと直接的な、または間接的な通信を行うことができる。例えば、Ｅ−ＵＴＲＡ無線技術を使用している可能性のあるＲＡＮ１０４に接続されることに加えて、コアネットワーク１０６は、ＧＳＭ無線技術を採用する別のＲＡＮ（図示せず）と通信していることもある。
【００２０】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしても機能しうる。ＰＳＴＮ１０８は、アナログ音声通話のみ可能な旧来の電話サービス（ＰＯＴＳ）を提供する回線交換電話網を含むものとしてよい。インターネット１１０は、ＴＣＰ／ＩＰインターネットプロトコル群におけるＴＣＰ（Transmission Control Protocol）、ＵＤＰ（User Datagram Protocol）、およびＩＰ（Internet Protocol）などの、一般的な通信プロトコルを使用する相互接続されたコンピュータネットワークおよびデバイスの地球規模のシステムを含むことができる。ネットワーク１１２は、他のサービスプロバイダによって所有され、および／または運営される有線もしくは無線通信ネットワークを含むことができる。例えば、ネットワーク１１２は、ＲＡＮ１０４と同じＲＡＴ、または異なるＲＡＴを使用することができる、１つまたは複数のＲＡＮに接続された別のコアネットワークを含むことができる。
【００２１】
通信システム１００内のＷＴＲＵ１０２ａ、１０２ｂ、１０２ｃ、１０２ｄのうちのいくつか、またはすべてがマルチモード機能を備える、つまり、ＷＴＲＵ１０２ａ、１０２ｂ、１０２ｃ、１０２ｄは、異なるワイヤレスリンク上で異なるワイヤレスネットワークと通信するための複数のトランシーバを備えることができる。例えば、図１Ａに示されているＷＴＲＵ１０２ｃは、セルラベースの無線技術を使用している可能性のある、基地局１１４ａと、またＩＥＥＥ８０２無線技術を使用している可能性のある、基地局１１４ｂと通信するように構成することができる。
【００２２】
図１Ｂは、例示的なＷＴＲＵ１０２のシステム図である。図１Ｂに示されているように、ＷＴＲＵ１０２は、プロセッサ１１８、トランシーバ１２０、送信／受信要素１２２、スピーカ／マイクロホン１２４、キーパッド１２６、ディスプレイ／タッチパッド１２８、取り外し不可能なメモリ１３０、取り外し可能なメモリ１３２、電源１３４、全世界測位システム（ＧＰＳ）チップセット１３６、および他の周辺機器１３８を備えることができる。ＷＴＲＵ１０２は、一実施形態との整合性を維持しながら前記の要素の部分的組合せを備えることができることが理解されるであろう。
【００２３】
プロセッサ１１８は、汎用プロセッサ、専用プロセッサ、従来型のプロセッサ、デジタルシグナルプロセッサ（ＤＳＰ）、複数のマイクロプロセッサ、ＤＳＰコアとの関連性を持つ１つまたは複数のマイクロプロセッサ、コントローラ、マイクロコントローラ、ＡＳＩＣ（application specific integrated circuits）、ＦＰＧＡ（Field Programmable Gate Array）回路、他の種類の集積回路（ＩＣ）、状態機械などとすることができる。プロセッサ１１８は、信号符号化、データ処理、電力制御、入出力処理、および／またはＷＴＲＵ１０２がワイヤレス環境内で動作することを可能にする他の機能を実行することができる。プロセッサ１１８は、送信／受信要素１２２に結合されうるトランシーバ１２０に結合することができる。図１Ｂは、プロセッサ１１８およびトランシーバ１２０を別々のコンポーネントとして表しているが、プロセッサ１１８およびトランシーバ１２０は、電子パッケージまたはチップ内に集積化してまとめることができることが理解されるであろう。
【００２４】
送信／受信要素１２２は、エアインターフェース１１６上で基地局（例えば、基地局１１４ａ）に信号を送信するように、または基地局（例えば、基地局１１４ａ）から信号を受信するように構成されうる。例えば、一実施形態において、送信／受信要素１２２は、ＲＦ信号を送信し、および／または受信するように構成されたアンテナとすることができる。別の実施形態において、送信／受信要素１２２は、例えば、ＩＲ、ＵＶ、または可視光信号を送信し、および／または受信するように構成された放射体／検出器とすることができる。さらに別の実施形態において、送信／受信要素１２２は、ＲＦ信号と光信号の両方を送信し、受信するように構成することができる。送信／受信要素１２２は、ワイヤレス信号の組合せを送信し、および／または受信するように構成することができることが理解されるであろう。
【００２５】
それに加えて、図１Ｂでは送信／受信要素１２２は単一の要素として示されているが、ＷＴＲＵ１０２は、任意の数の送信／受信要素１２２を備えることができる。より具体的には、ＷＴＲＵ１０２は、ＭＩＭＯ技術を採用することができる。そのため、一実施形態において、ＷＴＲＵ１０２は、エアインターフェース１１６上でワイヤレス信号を送信し受信するための２つまたはそれ以上の送信／受信要素１２２（例えば、複数のアンテナ）を含むことができる。
【００２６】
トランシーバ１２０は、送信器／受信要素１２２によって送信される信号を変調し、送信／受信要素１２２によって受信される信号を復調するように構成されうる。上記のように、ＷＴＲＵ１０２はマルチモード機能を有することができる。そのため、トランシーバ１２０は、例えば、ＵＴＲＡおよびＩＥＥＥ８０２．１１などの複数のＲＡＴを介してＷＴＲＵ１０２が通信することを可能にするための複数のトランシーバを備えることができる。
【００２７】
ＷＴＲＵ１０２のプロセッサ１１８は、スピーカ／マイクロホン１２４、キーパッド１２６、および／またはディスプレイ／タッチパッド１２８（例えば、ＬＣＤ（液晶ディスプレイ）表示ユニットまたはＯＬＥＤ（有機発光ダイオード）表示ユニット）に結合することができ、またそこからユーザ入力データを受け取ることができる。プロセッサ１１８は、ユーザデータをスピーカ／マイクロホン１２４、キーパッド１２６、および／またはディスプレイ／タッチパッド１２８に出力することもできる。それに加えて、プロセッサ１１８は、取り外し不可能なメモリ１３０および／または取り外し可能なメモリ１３２などの、任意の種類の好適なメモリから情報にアクセスし、データをそのようなメモリに格納することができる。取り外し不可能なメモリ１３０としては、ＲＡＭ、ＲＯＭ、ハードディスク、または他の種類のメモリストレージデバイスが挙げられる。取り外し可能なメモリ１３２としては、ＳＩＭ（加入者識別モジュール）カード、メモリスティック、ＳＤ（セキュアデジタル）メモリカードなどが挙げられる。他の実施形態において、プロセッサ１１８は、サーバもしくはホームコンピュータ（図示せず）上など、ＷＴＲＵ１０２上に物理的に配置されていないメモリから情報にアクセスし、データをそのようなメモリに格納することができる。
【００２８】
プロセッサ１１８は、電源１３４から電力を受け取り、その電力をＷＴＲＵ１０２内の他のコンポーネントに分配し、および／または制御するように構成されうる。電源１３４は、ＷＴＲＵ１０２に給電するための任意の好適なデバイスとすることができる。例えば、電源１３４としては、１つまたは複数の乾電池（例えば、ニッケルカドミウム（ＮｉＣｄ）電池、ニッケル亜鉛（ＮｉＺｎ）電池、ニッケル水素（ＮｉＭＨ）電池、リチウムイオン（Ｌｉ−ｉｏｎ）など）、太陽電池、燃料電池などが挙げられる。
【００２９】
プロセッサ１１８は、ＷＴＲＵ１０２の現在位置に関する位置情報（例えば、経度と緯度）を提供するように構成されうる、ＧＰＳチップセット１３６にも結合することができる。ＧＰＳチップセット１３６からの情報に加えて、またはその代わりに、ＷＴＲＵ１０２は、基地局（例えば、基地局１１４ａ、１１４ｂ）からエアインターフェース１１６上で位置情報を受信し、および／または２つもしくはそれ以上の付近の基地局から信号を受信するタイミングに基づきその位置を決定することができる。ＷＴＲＵ１０２は、一実施形態との整合性を維持しながら任意の好適な位置決定方法を用いて位置情報を取得することができる。
【００３０】
プロセッサ１１８は、追加の特徴、機能、および／または有線もしくは無線接続性を提供する１つまたは複数のソフトウェアおよび／またはハードウェアモジュールを備えうる、他の周辺機器１３８にさらに結合することができる。例えば、周辺機器１３８としては、加速度計、電子コンパス、衛星トランシーバ、デジタルカメラ（写真または動画用）、ユニバーサルシリアルバス（ＵＳＢ）ポート、バイブレーションデバイス、テレビジョントランシーバ、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザなどが挙げられる。
【００３１】
図１Ｃは、一実施形態によるＲＡＮ１０４およびコアネットワーク１０６のシステム図である。上記のように、ＲＡＮ１０４では、エアインターフェース１１６上でＷＴＲＵ１０２ａ、１０２ｂ、１０２ｃと通信するためにＥ−ＵＴＲＡ無線技術を使用することができるが、開示されている実施形態では、任意の数のＷＴＲＵ、基地局、ネットワーク、および／またはネットワーク要素を企図していることが理解されるであろう。ＲＡＮ１０４は、コアネットワーク１０６と通信することもできる。
【００３２】
ＲＡＮ１０４は、ｅＮｏｄｅＢ１４０ａ、１４０ｂ、１４０ｃを備えることができるが、ＲＡＮ１０４は、一実施形態との整合性を維持しながら任意の数のｅＮｏｄｅＢを備えることができることが理解されるであろう。ｅＮｏｄｅＢ１４０ａ、１４０ｂ、１４０ｃは、それぞれ、エアインターフェース１１６上でＷＴＲＵ１０２ａ、１０２ｂ、１０２ｃと通信するための１つまたは複数のトランシーバを備えることができる。一実施形態において、ｅＮｏｄｅＢ１４０ａ、１４０ｂ、１４０ｃは、ＭＩＭＯ技術を実装することができる。そのため、ｅＮｏｄｅＢ１４０ａは、例えば、複数のアンテナを使用して、ＷＴＲＵ１０２ａにワイヤレス信号を送信し、ＷＴＲＵ１０２ａからワイヤレス信号を受信することができる。
【００３３】
ｅＮｏｄｅＢ１４０ａ、１４０ｂ、１４０ｃのそれぞれは、特定のセル（図示せず）に関連付けることができ、無線リソース管理決定、ハンドオーバ決定、アップリンクおよび／またはダウンリンクにおけるユーザのスケジューリングなどを処理するように構成されうる。図１Ｃに示されているように、ｅＮｏｄｅＢ１４０ａ、１４０ｂ、１４０ｃは、Ｘ２インターフェース上で互いに通信することができる。
【００３４】
図１Ｃに示されているコアネットワーク１０６は、モビリティ管理ゲートウェイ（ＭＭＥ）１４２、サービングゲートウェイ１４４、およびパケットデータネットワーク（ＰＤＮ）ゲートウェイ１４６を含むことができる。前記の要素のそれぞれは、コアネットワーク１０６の一部として示されているが、これらの要素のうちのどれか１つが、コアネットワーク事業者以外の事業体によって所有され、および／または運営されていてもよいことは理解されるであろう。
【００３５】
ＭＭＥ１４２は、Ｓ１インターフェースを介してＲＡＮ１０４内のｅＮｏｄｅＢ１４２ａ、１４２ｂ、１４２ｃのそれぞれに接続され、制御ノードとして使用されうる。例えば、ＭＭＥ１４２は、ＷＴＲＵ１０２ａ、１０２ｂ、１０２ｃのユーザの認証、ベアラ活動化／非活動化（activation/deactivation）、ＷＴＲＵ１０２ａ、１０２ｂ、１０２ｃおよび同等のものなどの初期アタッチ時の特定のサービングゲートウェイの選択を行う役割を有しているものとしてよい。ＭＭＥ１４２は、ＲＡＮ１０４とＧＳＭまたはＷＣＤＭＡなどの他の無線技術を使用する他のＲＡＮ（図示せず）とを切り換えるための制御プレーン機能も備えることができる。
【００３６】
サービングゲートウェイ１４４は、Ｓ１インターフェースを介してＲＡＮ１０４内のｅＮｏｄｅＢ１４０ａ、１４０ｂ、１４０ｃのそれぞれに接続することができる。サービングゲートウェイ１４４は、一般に、ＷＴＲＵ１０２ａ、１０２ｂ、１０２ｃとの間でデータパケットの経路選択および回送を実行することができる。サービングゲートウェイ１４４は、ｅＮｏｄｅＢ間ハンドオーバ時のユーザプレーンのアンカリング、ＷＴＲＵ１０２ａ、１０２ｂ、１０２ｃに対してダウンリンクデータが利用可能になったときにページングをトリガすること、ＷＴＲＵ１０２ａ、１０２ｂ、１０２ｃのコンテキストを管理し、格納することなどの操作などの、他の機能も実行することができる。
【００３７】
サービングゲートウェイ１４４は、ＰＤＮゲートウェイ１４６にも接続することができ、これは、ＷＴＲＵ１０２ａ、１０２ｂ、１０２ｃとＩＰ対応デバイスとの間の通信が円滑に行われるように、インターネット１１０などの、パケット交換ネットワークへのＷＴＲＵ１０２ａ、１０２ｂ、１０２ｃのアクセスを可能にする。
【００３８】
コアネットワーク１０６は、他のネットワークとの通信を円滑に行えるようにすることができる。例えば、コアネットワーク１０６は、ＷＴＲＵ１０２ａ、１０２ｂ、１０２ｃと従来の地上通信回線を使用する通信デバイスとの間の通信が円滑に行われるように、ＰＳＴＮ１０８などの、回路交換ネットワークへのＷＴＲＵ１０２ａ、１０２ｂ、１０２ｃのアクセスを可能にする。例えば、コアネットワーク１０６は、コアネットワーク１０６とＰＳＴＮ１０８との間のインターフェースとして機能するＩＰゲートウェイ（例えば、ＩＰマルチメディアサブシステム（ＩＭＳ）サーバ）を備えるか、またはそれと通信することができる。それに加えて、コアネットワーク１０６によって、ＷＴＲＵ１０２ａ、１０２ｂ、１０２ｃは、他のサービスプロバイダによって所有され、および／または運営されている他の有線もしくは無線ネットワークを含みうるネットワーク１１２にアクセスすることが可能になる。
【００３９】
ＬＴＥリリース（Ｒ８）では、ＷＴＲＵは１つのキャリアに対する電力ヘッドルーム（ＰＨ）を基地局に報告する（つまり、シグナリングまたは送信する）。ＷＴＲＵがＰＨ報告（ＰＨＲ）を送信することを条件によって保証される場合、ＷＴＲＵは、ＷＴＲＵが有効なアップリンク（ＵＬ）物理アップリンク共有チャネル（ＰＵＳＣＨ）グラント、つまり、ＵＬリソースを受信し、次いで、そのＴＴＩにおいてＰＨＲを送信する送信間隔（ＴＴＩ）まで待つ。
【００４０】
ＬＴＥ−Ａでは、ＷＴＲＵは、１つ、２つ、またはそれ以上のコンポーネントキャリア（ＣＣ）に対する電力ヘッドルームをｅＮｏｄｅＢに報告することができる。条件により、ＷＴＲＵが少なくとも１つのＵＬ  ＣＣに対して１つのＰＨＲを、すべてのアクティブなＵＬ  ＣＣに対して複数のＰＨＲを、またはすべての構成されているＵＬ  ＣＣに対して複数のＰＨＲを、例えば、明示的な活動化メカニズムがない場合に、また所与のＵＬ  ＣＣの特定のＴＴＩに対してＵＬグラントがない場合であっても送信することができる。ＰＵＳＣＨグラントを持たないＵＬ  ＣＣについては、ＷＴＲＵは、基準フォーマットまたはグラント（つまり、ＷＴＲＵと基地局の両方に知られているグラントパラメータの集合）を使用して、そのＵＬ  ＣＣに対するＰＨを導出することができる。
【００４１】
したがって、ＷＴＲＵは、ＵＬ  ＣＣと実際のＰＵＳＣＨグラントおよび基準ＰＵＳＣＨグラントとの何らかの組合せに対してＰＨを報告することができる。所与のＴＴＩにおいて実際のグラントを持つＵＬ  ＣＣは、実ＣＣまたは送信ＣＣと本明細書では称する。ＰＨの計算に、実際のグラントを持たず、および基準グラントを使用することができるＵＬ  ＣＣは、本明細書ではフェイクまたは仮想ＣＣと称される。
【００４２】
基地局は、これらのＷＴＲＵに対する将来のＵＬリソースをスケジュールする方法を決定する際にＷＴＲＵからＰＨＲを使用することができる。１つまたは複数のＰＡを持つＷＴＲＵに実装されうる複数のＣＣで送信することが可能であるため、基地局は、既存のＰＨの計算結果および報告を使用して適切なスケジューリングの決定を下すうえで十分な情報を有していない可能性がある。
【００４３】
ＬＴＥ−Ａの別の態様では、複数のアンテナポート上でのＵＬ送信をサポートするＷＴＲＵは、複数のアンテナポート上で送信することができるマルチアンテナポートモードまたは１つのアンテナポート上で送信することができるシングルアンテナポートモードで動作しうる。マルチアンテナポートモードに入っている間、基地局は、送信モードの構成された送信方式とＷＴＲＵが１つのアンテナポート上でのみ送信することができるシングルアンテナポート方式とを切り換えることをＷＴＲＵに動的にシグナリングすることができる。シングルアンテナポート方式に切り換えることは、本明細書ではフォールバックと称される。それぞれのＰＵＳＣＨ送信のために、基地局からシグナリングされたＵＬグラントは、構成された送信モードの送信方式またはシングルアンテナポートフォールバック方式のいずれかを使用するようＷＴＲＵに指令するものとしてよい。電力ヘッドルームは、そのような変更後に異なることがある。既存のＲ８報告規則によれば、ＷＴＲＵは、電力ヘッドルームの次の定期報告までそのような変更を報告することができず、この定期報告は、ずっと先であり、基地局が現在の送信方式についてスケジューリングに関する適切な選択を行うことを可能にできない。
【００４４】
ここでは、キャリアアグリゲーション、複数のＣＣ、複数の電力増幅器、アップリンクマルチ入力マルチ出力（ＵＬ  ＭＩＭＯ）、同時ＰＵＳＣＨおよび物理アップリンク制御チャネル（ＰＵＣＣＨ）送信、並びにフォールバックを使用して帯域幅拡大に対処することができるＬＴＥリリース１０（Ｒ１０）またはＬＴＥ−Ａ用の電力制御方法および装置について説明する。この方法は、ＣＣをＰＡに関連付け、ＣＣおよびＰＡに関係する電力制御パラメータを構成し、および報告することと、電力ヘッドルームがＰＵＳＣＨ、ＰＵＣＣＨ、並びに同時ＰＵＳＣＨおよびＰＵＣＣＨ送信について報告すること、並びに基地局がスケジューリングの決定を知ることを可能にするために電力ヘッドルームを計算し、報告することを含む。提示されている方法例のそれぞれは、個別に、または他の例示的な方法のうちの１つまたは複数と組み合わせて使用することができる。
【００４５】
後述の例では、ＣＣからＰＡへのマッピングは、ＷＴＲＵと基地局の両方において知ることができる。ＷＴＲＵに対するＣＣからＰＡへのマッピングが、基地局において決定された場合、基地局は（Ｊ）のＣＣから（Ｋ）のＰＡへのマッピングをＷＴＲＵにシグナリングすることができる。ＷＴＲＵに対するＣＣからＰＡへのマッピングが、ＷＴＲＵにおいて決定された場合、ＷＴＲＵは（Ｊ）のＣＣから（Ｋ）のＰＡへのマッピングを基地局にシグナリングすることができる。あるいは、このマッピングは、知られている、所定の、または事前に確立されている、構成に基づきＷＴＲＵと基地局とによって導出されうる（例えば、ＷＴＲＵカテゴリおよび周波数帯域により）。ＷＴＲＵにおけるＰＡの個数は、基地局によって、ＷＴＲＵによってシグナリングされたＷＴＲＵカテゴリ情報（または他のインジケータ）から暗黙のうちに導出されうる（例えば、ＷＴＲＵカテゴリ情報の一部として）。あるいは、ＷＴＲＵは、ＰＡの個数およびそれらの特性（例えば、最大送信電力）を基地局に明示的にシグナリングすることができる。
【００４６】
後述のいくつかの例において、ＷＴＲＵは、１つまたは複数の（Ｋ）のＰＡを使用して、１つまたは複数の（Ｊ）のＣＣについて電力制御データをｅＮｏｄｅＢにシグナリングすることができる。このようなマッピングを例示するために、以下の表１に示されているようなＷＴＲＵ  ＣＣとＰＡとの間の以下のマッピング例を考察する。３つのＣＣが２つのＰＡを使用して送信され（つまり、Ｋ＝２およびＪ＝３）、ＣＣ＃１は、ＰＡ＃１によって送信され、ＣＣ＃２およびＣＣ＃３は、ＰＡ＃２によって送信される。
【００４７】
【表１】
0005555326.tif 000002
【００４８】
ここで説明されている例では、ＰCC（ｉ，ｊ）は、最大電力制限に対する低減を行う前にサブフレームｉ内のＣＣjについてＷＴＲＵによって決定された必要なＵＬ送信電力を表す。
【００４９】
ここでは、ＣＣ特有の最大電力をシグナリングするための例示的な方法を説明する。この例示的な方法において、基地局は、ＣＣ毎に、あるキャリア周波数上のＷＴＲＵのアップリンク送信電力を制限するために使用されるパラメータであるＰMaxをＷＴＲＵにシグナリングすることができる。Ｊ個のＣＣについては、これは、Ｊ個のそのような値を必要とし、これはＰMax（ｊ）またはＰ−Ｍａｘ（ｊ）と表される。
【００５０】
ここで説明されているさらなる例では、ＰMax（ｊ）およびＰ−Ｍａｘ（ｊ）は、それぞれのＣＣ  ｊについてＷＴＲＵにシグナリングされるＣＣ特有の最大送信電力値を表すために入れ換えて使用することができる。ＰCMAX（ｊ）は、ＣＣ  ｊに対するＣＣ特有の最大送信電力値を表し、これはシグナリングされる最大電力値ＰMax（ｊ）、ＷＴＲＵ電力クラスの最大電力、最大電力低減許容差、許容値などのうちの１つまたは複数を考慮するものとしてよい。ＰCMAX（ｊ）は、ＣＣに対する構成された最大電力、構成された最大送信電力、または構成された最大出力電力と称することができる。
【００５１】
ここでは、ＰＡ特有の最大電力をシグナリングし、および／または決定するための例示的な方法を説明する。例示的な方法では、それぞれのＰＡ  ｋは、ＷＴＲＵによって決定されうる、ＰAMAX（ｋ）と表される、最大送信電力能力（maximum transmit power capability）を有するものとすることができる。ＰAMAX（ｋ）は、ＷＴＲＵカテゴリの属性であるものとすることができる。それぞれのＰＡに対する個別の最大電力送信能力を、ＷＴＲＵによって基地局にシグナリングすることができる。Ｋ個のＰＡに対して、これは、Ｋ個の最大送信電力能力を必要とする。あるいは、ＷＴＲＵおよび基地局は両方とも、ＷＴＲＵ能力情報要素においてＷＴＲＵによって基地局に報告されたＷＴＲＵカテゴリ（または他のインジケータ）に基づきＰＡ特有の最大送信電力能力を導出することができる。それに加えて、基地局は、代替のＰＡ特有の最大送信電力能力をＷＴＲＵにシグナリングすることができる。代替のＰＡ特有の最大送信電力能力は、上記のようにＷＴＲＵから基地局にシグナリングされうるＰＡ特性値（property value）と異なる値であってもよい。これは、ＰＡが代替の最大送信電力能力を有しているかのようにＷＴＲＵが動作することを必要とする場合がある。代替の最大送信電力能力は、ＰＡの特性である最大送信電力能力より小さい値であってもよい。
【００５２】
ここでは、ＣＣ特有の電力ヘッドルームおよび／またはＰＡ特有の電力ヘッドルームをシグナリングし、および／または決定するための例示的な方法を説明する。例示的な方法において、それぞれのＣＣおよびＰＡに対する個別の電力ヘッドルーム報告は、ＷＴＲＵによって基地局にシグナリングすることができる。Ｊ個のＣＣおよびＫ個のＰＡについて、これは、Ｊ＋Ｋ個のヘッドルーム報告を必要とする場合がある。ＣＣ電力ヘッドルームは、ＣＣ最大送信電力と、ＣＣ上のすべての物理アップリンク共有チャネル（ＰＵＳＣＨ）送信に必要な送信電力との間の差であるものとすることができる。ＰＡ電力ヘッドルームは、ＰＡ最大送信電力と、ＰＡ上のすべてのＰＵＳＣＨ送信に必要な送信電力との間の差であるものとすることができる。
【００５３】
あるいは、ＷＴＲＵは、Ｊ個のＣＣに対する電力ヘッドルーム報告をシグナリングすることができ、基地局は、ＣＣからＰＡへのマッピング、ＣＣヘッドルーム報告、それぞれのＣＣ  ｊに対するＰ−Ｍａｘ（ｊ）、およびＰＡ特有の最大送信電力に基づきＫ個のＰＡヘッドルーム値を導出することができる。
【００５４】
ここでは、ＣＣ特有の送信電力およびＰＡ特有の送信電力をシグナリングするための例示的な方法を説明する。例示的な方法において、それぞれのＣＣおよびＰＡに対する個別の送信電力は、ＷＴＲＵによって基地局にシグナリングすることができる。Ｊ個のＣＣおよびＫ個のＰＡについて、これは、Ｊ＋Ｋ個の送信電力報告を必要とする場合がある。ＰHCC（ｉ，ｊ）と表される、サブフレームｉ内のＣＣ  ｊに対するヘッドルームは、ＣＣ送信電力から基地局によって
ＰHCC（ｉ，ｊ）＝Ｐ−Ｍａｘ（ｊ）−ＰCC（ｉ，ｊ）    式（１）
として決定され、ここで、ＰCC（ｉ，ｊ）は、サブフレームｉ内のＣＣ（ｊ）におけるＰＵＳＣＨ送信に対する必要な送信電力である。
【００５５】
ＰHPA（ｉ，ｋ）と表される、サブフレームｉ内のＰＡ  ｋに対するヘッドルームは、ＰＡ送信電力から基地局によって
ＰHPA（ｉ，ｋ）＝ＰAMAX（ｋ）−ＰPA（ｉ，ｋ）    式（２）
として決定され、ここで、ＰPA（ｉ，ｋ）は、サブフレームｉ内のＰＡ（ｋ）におけるすべてのＰＵＳＣＨ送信に対する必要な送信電力である。
【００５６】
ここでは、ヘッドルームまたは送信電力を報告するための方法を説明する。例示的な方法では、基地局は、送信電力および／または電力ヘッドルームがＷＴＲＵによって報告されるかどうかに関してＷＴＲＵを構成することができる。送信電力および／または電力ヘッドルームは、ＣＣ特有であり、および／またはＰＡ特有であるものとしてよい。
【００５７】
ここでは、ＣＣ特有の送信電力をシグナリングするための方法を説明する。この例示的な方法では、ＷＴＲＵは、ＣＣ特有の送信電力を基地局にシグナリングすることができ、基地局は、ＣＣ特有の送信電力から、ＰＡ特有のヘッドルームを決定することができる。ＷＴＲＵは、ＰＡ送信電力またはヘッドルームを明示的にシグナリングすることを必要としない場合がある。これは、Ｊ＋ＫではなくＪ個の送信電力報告を必要とし、シグナリングのオーバーヘッドを低減することができる。ＰHPA（ｉ，ｋ）で表される、サブフレームｉにおけるＰＡ  ｋに対するＰＡヘッドルームは、ＣＣ送信電力とＣＣからＰＡへのマッピングとから決定されうる。前の方で与えたＣＣからＰＡへのマッピング例、
ＰHPA（ｉ，１）＝ＰAMAX（１）−ＰCC（ｉ，１）    式（３）、および
ＰHPA（ｉ，２）＝ＰAMAX（２）−（ＰCC（ｉ，１）＋ＰCC（ｉ，２））    式（４）
を使用すると、ＰHCC（ｉ，ｊ）で表される、ＣＣに対するヘッドルームは、式（１）
ＰHCC（ｉ，ｊ）＝Ｐ−Ｍａｘ（ｊ）−ＰCC（ｉ，ｊ）    式（１）
を使用して基地局によって決定されることができる。
【００５８】
ここでは、同時ＰＵＳＣＨ／ＰＵＣＣＨ送信に関する送信電力および／または電力ヘッドルームの報告を行うための例示的な方法を説明する。ＬＴＥでは、ＰＵＣＣＨおよびＰＵＳＣＨは、ＵＬ送信においてシングルキャリア特性をもっぱら保持するために異なるサブフレームで送信される。それに加えて、ＬＴＥのＷＴＲＵでは、ＰＵＳＣＨ送信電力に基づき電力ヘッドルームを報告する。しかし、ＬＴＥ−Ａでは、同時ＰＵＳＣＨおよびＰＵＣＣＨ送信をサポートすることができ、単一のＷＴＲＵ特有のＵＬ  ＣＣはＰＵＣＣＨを伝送するように半静的に構成される。同時ＰＵＳＣＨ／ＰＵＣＣＨ送信が１つのサブフレーム（ＣＣ上の）で行われる場合、ＰＵＳＣＨ送信に利用可能な最大送信電力は、ＰＵＣＣＨ送信に割り当てられる送信電力によって低減されうる。この場合、ＰＵＣＣＨ送信はＰＵＳＣＨに利用可能な電力ヘッドルームに直接影響を及ぼすので、ＰＵＣＣＨ送信電力値を送信電力および／または電力ヘッドルームの報告に含めることが望ましいだろう。本明細書で説明されている例示的な方法において、ＷＴＲＵは、同時ＰＵＳＣＨおよびＰＵＣＣＨ送信がＣＣ上で行われるＷＴＲＵの電力ヘッドルームまたは送信電力を基地局に報告するときにＰＵＣＣＨ送信電力を考慮することができる。
【００５９】
例示的な一方法において、同時ＰＵＳＣＨおよびＰＵＣＣＨ送信がＣＣ  ｊ上で行われる場合、ＰＵＳＣＨおよびＰＵＣＣＨの送信電力および／またはヘッドルームを組み合わせることができる。送信電力の報告について、ＷＴＲＵは
ＰCC（ｉ，ｊ）＝ＰCC_PUSCH（ｉ，ｊ）＋ＰCC_PUCCH（ｉ，ｊ）    式（５）
と報告することができ、ここで、ＰCC_PUSCH（ｉ，ｊ）は、サブフレームｉにおけるＣＣ  ｊ上のＰＵＳＣＨに対する必要な送信電力（つまり、最大電力制限に対する低減の前のＰＵＳＣＨ電力）とすることができ、また、ＰCC_PUCCH（ｉ，ｊ）は、サブフレームｉにおけるＣＣ  ｊ上のＰＵＣＣＨに対する必要な送信電力（つまり、最大電力制限に対する低減の前のＰＵＣＣＨ電力）とすることができる。サブフレームｉ（ＰＵＳＣＨ電力ヘッドルームを報告することができる）内にＰＵＣＣＨが存在しない場合、ＣＣ  ｊ上のＰＵＣＣＨに必要な最新の送信電力（つまり、最新のＰＵＣＣＨ送信）をＰCC_PUCCH（ｉ，ｊ）に使用することができる。あるいは、最新のＰＵＣＣＨ送信に使用されるダウンリンク制御情報（ＤＣＩ）フォーマットを使用して、ＰCC_PUCCH（ｉ，ｊ）を導出することができる。あるいは、基準ＤＣＩフォーマット（例えば、ＤＣＩフォーマット１ａ）を使用して、ＰCC_PUCCH（ｉ，ｊ）を導出することができる。
【００６０】
電力ヘッドルーム（ＰＨ）の報告について、ＷＴＲＵは、
【００６１】
【数１】
0005555326.tif 000003
【００６２】
を報告することができ、ここで、ＰCMAX（ｊ）は、上述したように、ＣＣ  ｊに対し構成された最大電力（例えば、キャリア特有の最大送信電力）とすることができる。サブフレームｉ（ＰＵＳＣＨ電力ヘッドルームを報告することができる）内にＰＵＣＣＨが存在しない場合、ＣＣ  ｊ上のＰＵＣＣＨに必要な最新の送信電力をＰCC_PUCCH（ｉ，ｊ）に使用することができる。あるいは、最新のＰＵＣＣＨ送信に使用されるＤＣＩフォーマットを使用して、ＰCC_PUCCH（ｉ，ｊ）を導出することができる。あるいは、基準ＤＣＩフォーマット（例えば、ＤＣＩフォーマット１ａ）を使用して、ＰCC_PUCCH（ｉ，ｊ）を導出することができる。
【００６３】
他のＣＣ（ｌ≠ｊ）では、ＷＴＲＵは、ＰＵＳＣＨの送信電力および／または電力ヘッドルームを報告することができる。送信電力の報告については、ＷＴＲＵはＰCC（ｉ，ｌ）＝ＰCC_PUSCH（ｉ，ｌ）を報告することができ、電力ヘッドルームの報告については、ＷＴＲＵはＰHCC（ｉ，ｌ）＝ＰCMAX（ｌ）−ＰCC_PUCCH（ｉ，ｊ）を報告することができる。
【００６４】
例示的な別の方法では、ＷＴＲＵは、ＰＵＳＣＨおよびＰＵＣＣＨに対する送信電力および／または電力ヘッドルームの報告を別々に／個別に出すことができる。送信電力の報告について、ＷＴＲＵは、ＰCC_PUSCH（ｉ，ｊ）およびＰCC_PUSCCH（ｉ，ｊ）を報告することができる。電力ヘッドルームの報告について、ＷＴＲＵは
ＰHCC_PUSCH（ｉ，ｊ）＝ＰCMAX（ｊ）−ＰCC_PUSCH（ｉ，ｊ）    式（７）
ＰHCC_PUCCH（ｉ，ｊ）＝ＰCMAX（ｊ）−ＰCC_PUCCH（ｉ，ｊ）    式（８）
を報告することができ、ここで、ＰHCC_PUSCH（ｉ，ｊ）およびＰHCC_PUCCH（ｉ，ｊ）は、それぞれ、ＰＵＳＣＨおよびＰＵＣＣＨに対する電力ヘッドルームの報告を表すものとすることができ、ＰＵＣＣＨは、ＣＣ  ｊ上で送信される。サブフレームｉ（ＰＵＳＣＨ電力ヘッドルームを報告することができる）内にＰＵＣＣＨが存在しない場合、ＣＣ  ｊ上のＰＵＣＣＨに必要な最新の送信電力をＰCC_PUCCH（ｉ，ｊ）に使用することができる。あるいは、最新のＰＵＣＣＨ送信に使用されるＤＣＩフォーマットを使用して、ＰCC_PUCCH（ｉ，ｊ）を導出することができる。あるいは、基準ＤＣＩフォーマット（例えば、ＤＣＩフォーマット１ａ）を使用して、ＰCC_PUCCH（ｉ，ｊ）を導出することができる。他のＣＣ（ｌ≠ｊ）では、ＷＴＲＵは、ＣＣ上のＰＵＳＣＨの送信電力および／または電力ヘッドルームを報告することができる。
【００６５】
別の例示的な方法では、ＷＴＲＵは、ＬＴＥでのようなＰＵＳＣＨに対して、またＰＵＳＣＨとＣＣ（例えば、ＣＣ  ｊ）上にＰＵＣＣＨが存在している場合にＰＵＣＣＨとの組合せに対して送信電力および／または電力ヘッドルームを別々に報告することができる。送信電力の報告について、ＷＴＲＵは、（サブフレームｉに対して）ＰCC_PUSCH（ｉ，ｊ）およびＰCC（ｉ，ｊ）を報告することができるが、ただし、ＰCC（ｉ，ｊ）＝ＰCC_PUSCH（ｉ，ｊ）＋ＰCC_PUCCH（ｉ，ｊ）である。電力ヘッドルームの報告について、ＷＴＲＵは、ＰHCC_PUSCH（ｉ，ｊ）を報告できるが、ただし、ＰHC_PUSCH（ｉ，ｊ）＝ＰCMAX（ｊ）−ＰCC_PUSCH（ｉ，ｊ）であり、ＰHCC（ｉ，ｊ）は式（６）
【００６６】
【数２】
0005555326.tif 000004
【００６７】
に示されている通りであり、ここで、ＰCMAX（ｊ）は上述したようにＣＣ  ｊに対する構成された最大電力（例えば、キャリア特有の最大送信電力）とすることができる。
【００６８】
ＣＣ毎に複数のＰＵＣＣＨがある場合の送信電力および／または電力ヘッドルームの報告を行うための例示的な方法について説明する。ＣＣ内に複数のＰＵＣＣＨがある場合、ＰCC_PUCCH（ｉ，ｊ）を
【００６９】
【数３】
0005555326.tif 000005
【００７０】
で置き換えることができ、ただし、サブフレームｉにおいてＣＣ  ｊ内にＰＵＣＣＨのＮ個のインスタンスがあり、これはＰCC_PUCCH（ｉ，ｊ，ｎ）、ｎ＝０，１，．．．，Ｎ−１で表される。あるいは、それぞれのそのようなＰＵＣＣＨに対し別々のヘッドルームまたは送信電力の報告がありうる。
【００７１】
報告をトリガする例示的な方法を説明する。同時ＰＵＳＣＨおよびＰＵＣＣＨ送信では、電力ヘッドルームの報告メカニズムは、タイマおよび／またはイベントトリガに基づくものとすることができる。しかし、タイマおよび／またはイベント閾値の値は、ＰＵＳＣＨ、ＰＵＣＣＨ、および／またはＰＵＳＣＨとＰＵＣＣＨとの組合せに対して異なっていてもよい。タイマおよび／またはイベント閾値に基づく電力ヘッドルームまたは送信電力の報告については、ＷＴＲＵは、所与のタイマまたはイベント閾値に関連付けられるチャネルの電力ヘッドルームまたは送信電力を報告することができる。あるいは、ＷＴＲＵは、チャネルのタイマがタイムアウトになるか、またはイベント閾値を超えた後に、ＰＵＳＣＨとＰＵＣＣＨの両方の電力ヘッドルームまたは送信電力を報告することができる。あるいは、ＷＴＲＵは、両方のチャネルからのトリガの後、ＰＵＳＣＨとＰＵＣＣＨの両方の電力ヘッドルームまたは送信電力を報告することができる。あるいは、ＷＴＲＵは、ＰＵＳＣＨの電力ヘッドルームの報告がトリガされると必ずＰＵＳＣＨ電力ヘッドルームとともにＰＵＣＣＨ電力ヘッドルームを報告することができる。
【００７２】
ＷＴＲＵによって上記のトリガおよび報告方法のどれが使用されうるかに関して、指定されうるか、またはシステム情報ブロック（ＳＩＢ）を介してセル内のすべてのＷＴＲＵについて基地局によって構成されるか、または無線リソース制御（ＲＲＣ）メッセージを介してセル内のそれぞれのＷＴＲＵについて個別に基地局によって構成されうる。
【００７３】
ここでは、キャリアアグリゲーションの状況において構成可能な送信電力または電力ヘッドルームの報告を行うための例示的な方法を説明する。ＷＴＲＵが装備することができるＰＡの数は、ＷＴＲＵクラス（またはカテゴリ）に応じて異なることがある。それに加えて、ＷＴＲＵに対するＣＣ割り当て／構成は、ＷＴＲＵクラス、ＱｏＳの要件、ＣＣの利用可能性、および他の同様のファクタなどのいくつかのファクタに依存しうる。ＣＣ上の送信電力または電力ヘッドルームは、例えば、連続するＣＣの割り当てにおける、他のＣＣ上のものに近くてもよい。したがって、例示的な一方法では、ＣＣ毎に、または（連続するＣＣのような）ＣＣのグループ毎に、またはすべてのアクティブ／構成されたＣＣについて、例えば、キャリアアグリゲーションの割り当ておよび／またはＷＴＲＵ  ＰＡ構成、および／または他のいくつかのシステムパラメータに基づいて、基地局は、送信電力または電力ヘッドルームを報告するようにＷＴＲＵを構成することができる。
【００７４】
あるいは、ＷＴＲＵは、例えば、所定の規則に基づき、どの送信電力または電力ヘッドルームを報告するかを自律的に決定することができる。例えば、εが所定の閾値であり、ｋ≠ｎであるものとして、｜ＰHCC（ｉ，ｋ）−ＰHCC（ｉ，ｎ）｜≦εであれば、ｋ番目のＣＣとｎ番目のＣＣの両方に対して単一の電力ヘッドルーム値のみを送信する。
【００７５】
上記の条件は、ＣＣ間の電力ヘッドルームの差が十分に小さい（または所定の値以下である）場合に、ＷＴＲＵがすべての関連するＣＣ上で送信電力または電力ヘッドルームを報告することができず、むしろ、ＷＴＲＵは、ＣＣのすべてを表す単一の報告を送信することができる。例えば、これは、連続するＣＣの場合に対して実行することができる。この場合、ＷＴＲＵは、連続するＣＣのうちの代表的なＣＣ（例えば、真ん中のＣＣまたはキャリア周波数が最低（または最高）のＣＣ）に対応する送信電力または電力ヘッドルームを報告することができる。
【００７６】
ここでは、ＣＣ特有の電力ヘッドルームをシグナリングするための例示的な方法を説明する。この例示的な方法は、
【００７７】
【数４】
0005555326.tif 000006
【００７８】
で表される、ＣＣ特有の電力ヘッドルームを計算し、この計算されたＣＣ特有のヘッドルームを基地局にシグナリングすることができる。この例示的な方法では、ＣＣ特有の電力ヘッドルームを従来の意味で、つまり、要求された（最後のＵＬグラントに基づき公称の）ＣＣ特有の送信電力と最大のＣＣ特有の送信電力との差として計算することはできない。記法
【００７９】
【数５】
0005555326.tif 000007
【００８０】
を使用して、以下の例示的な方法に従って計算されるＣＣ特有の電力ヘッドルームを、記法ＰHCC（ｉ，ｊ）を使用する従来の意味で計算されたＣＣ特有の電力ヘッドルームから区別することができる。この例示的な方法は、後で代替的形態１と称される。
【００８１】
基地局は、例示的な方法に従って計算されたシグナリングされるＣＣ特有の電力ヘッドルームを使用することによって、ＣＣにおける最大電力を超えることを回避し、ＰＡにおける最大電力を超えることを回避するグラントをスケジュールすることができる。これは、ＰＡの数、ＰＡ特有の最大送信電力、ＰＡ特有のヘッドルーム、ＣＣからＰＡへのマッピング、または計算に使用される方法を基地局側で知ることなく実行されうる。
【００８２】
ＣＣ特有のヘッドルーム
【００８３】
【数６】
0005555326.tif 000008
【００８４】
は、Ｊ個すべてのＣＣに対しシグナリングされ、Ｊ個の電力ヘッドルームの報告を必要とする場合がある。基地局は、ＷＴＲＵがこの方法を使用していることを「認識せず」影響を受けないことに留意して、ＣＣ特有の電力ヘッドルーム
【００８５】
【数７】
0005555326.tif 000009
【００８６】
を、値がＰHCC（ｉ，ｊ）であるかのようにシグナリングすることができる。
【００８７】
【数８】
0005555326.tif 000010
【００８８】
をシグナリングするためのトリガは、ＰHCC（ｉ，ｊ）について説明されているものと類似していてもよい、つまり、イベントベースまたは定期的であってよく、イベントは、ＰHCC（ｉ，ｊ）ではなくむしろ
【００８９】
【数９】
0005555326.tif 000011
【００９０】
の値に基づく。
【００９１】
図２を参照すると、ＷＴＲＵは、
【００９２】
【数１０】
0005555326.tif 000012
【００９３】
の計算を開始することがわかる（２１０）。ＰHCC（ｉ，ｊ）［ｄＢ］で表される、サブフレームｉ内のＣＣ  ｊに対する電力ヘッドルームは、ＰＵＳＣＨ送信に対して式（１）で記述されているようにすべてのＪ  ＣＣについて、または式（６）で、またはＣＣ特有の電力ヘッドルームに対する他の何らかの未指定の基準で記述されているように同時ＰＵＳＣＨおよびＰＵＣＣＨ送信について、決定されうる（２２０）。ＰWHCC（ｉ，ｊ）をｄＢ形式を使わず線形形式を使用して
ＰWHCC（ｉ，ｊ）＝１０PMax(j)/10−１０PCC(i,j)/10    式（９）
としてＰHCC（ｉ，ｊ）と定義する。
【００９４】
ＰHPA（ｉ，ｋ）［ｄＢ］で表される、サブフレームｉ内のＰＡ  ｋに対する電力ヘッドルームは、ＰＵＳＣＨ送信に対して式（２）で記述されているようにすべてのＫ  ＰＡについて、または式（６）で、またはＰＡ特有の電力ヘッドルームに対する他の何らかの未指定の基準で記述されているように同時ＰＵＳＣＨおよびＰＵＣＣＨ送信について、決定されうる（２３０）。ＰWHPA（ｉ，ｋ）をｄＢ形式を使わず線形形式を使用して
【００９５】
【数１１】
0005555326.tif 000013
【００９６】
のようにＰHPA（ｉ，ｋ）と定義する。
【００９７】
次いで、ＷＴＲＵは、正の線形のヘッドルーム、つまり、ＰWHCC（ｉ，ｊ）≧０であるＣＣを、また負の線形のヘッドルーム、つまり、ＰWHCC（ｉ，ｊ）＜０であるＣＣを識別することができる（２４０）。
【００９８】
次いで、それぞれのＰＡ  ｋについて、ＷＴＲＵは、ＰWAPA（ｉ，ｋ）で表されるＰＡ有能電力（available PA power）を、負のＰWHCC（ｉ，ｊ）を有する、ＰＡ  ｋにマッピングされたすべてのＣＣ  ｊについてＰWHPA（ｉ，ｋ）の総和にＰWHCC（ｉ，ｊ）の総和を加えたものとして決定する（２５０）ことができる、つまり、
【００９９】
【数１２】
0005555326.tif 000014
【０１００】
であるか、またはそれと同等のものとして
【０１０１】
【数１３】
0005555326.tif 000015
【０１０２】
とすることができ、ただし、
ＰWAPA（ｉ，ｋ）≧ＰWHPA（ｉ，ｋ）    式（１３）
である。
【０１０３】
それぞれのＰＡ  ｋについて、ＷＴＲＵは、ＰＡを、以下でＡ、Ｂ、およびＣと表される３つの場合のうちの１つであるものとして識別することができる（２６０）。それぞれの場合について、シグナリングされるＣＣ特有の電力ヘッドルームを説明されているように計算する。
【０１０４】
場合Ａは、ＰＡ有能電力が正かつ正のＣＣ特有のヘッドルームの報告の総和以上である場合である。グラント毎の計算された電力が最大許容電力を超える可能性のあるＣＣについては、基地局が将来のグラントによりＣＣ特有の送信電力をその最大許容電力にまで低減することが予想されうるように特定のＣＣの実際のヘッドルームをシグナリングすることができる。次いで、ＰＡ有能電力は、元の増幅器のヘッドルームに負のヘッドルームのＣＣの電力を低減することによって得られるその電力を加えたものとすることができる。この場合、有能電力は、正のヘッドルームのＣＣの総和されたヘッドルームの報告より大きく、それらのＣＣに対する実際のヘッドルームの報告もシグナリングされる。基地局が将来のグラントでこれらのヘッドルームの報告を全部利用するとすれば、すべてのＣＣがその最大送信電力の状態にあり、ＰＡはその最大送信電力より低いものとしてよい。
【０１０５】
次に、図３も参照すると、場合Ａにおいて、ＰＡ有能電力ＰWAPA（ｉ，ｋ）が正であり、かつ、正のヘッドルームを有するものとして識別されているＣＣについてＣＣ特有の電力ヘッドルームの報告の総和以上である（３１０）、つまり、
【０１０６】
【数１４】
0005555326.tif 000016
【０１０７】
または、それと同等のものとして
【０１０８】
【数１５】
0005555326.tif 000017
【０１０９】
である場合、すべてのそのようなＣＣについて、ＷＴＲＵは、
【０１１０】
【数１６】
0005555326.tif 000018
【０１１１】
をＰHCC（ｉ，ｊ）に等しいものとして報告することができる、つまり、シグナリングされるＣＣ特有のヘッドルームは元々決定されている通りである（３２０）ことがわかる。
【０１１２】
場合Ｂは、ＰＡ有能電力が正かつ正のＣＣ特有のヘッドルームの報告の総和未満である場合であり、図３にも示されている。グラント毎に最大許容電力を超える可能性のあるＣＣについて、基地局が将来のグラントによりＣＣ特有の送信電力をその最大許容電力にまで低減することが予想されうるようにその実際のヘッドルームをシグナリングすることができる。次いで、ＰＡ有能電力は、元の増幅器のヘッドルームに負のヘッドルームのＣＣの電力を低減することによって得られるその電力を加えたものとすることができる。この場合、有能電力は、正のヘッドルームのＣＣの総和されたヘッドルームの報告より小さく、したがって、正のヘッドルームのＣＣに対するシグナリングされるヘッドルームの報告は、利用可能なＰＡ電力のすべてがそれらのＣＣの間に分配されるようにある量だけ低減されたその実際のヘッドルームの報告である。基地局が将来のグラントでこれらのヘッドルームの報告を全部利用するとすれば、以前には負のヘッドルームであったＣＣはその最大送信電力の状態にあり、以前には負のヘッドルームであったＣＣは何らかのより高い（最大許容電力より低いが）送信電力の状態にあり、ＰＡはその最大送信電力の状態にあるものとしてよい。
【０１１３】
場合Ｂにおいて、ＰＡ有能電力ＰWAPA（ｉ，ｋ）が正であり、かつ、正のヘッドルームを有するものとしてステップ３で識別されているＣＣについてＣＣ特有の電力ヘッドルームの報告の総和未満である（３３０）、つまり、
【０１１４】
【数１７】
0005555326.tif 000019
【０１１５】
または、それと同等のものとして
【０１１６】
【数１８】
0005555326.tif 000020
【０１１７】
である場合、ＷＴＲＵは、正のヘッドルームを有するものとして識別されるＣＣの間に利用可能な電力を完全に分配するためにα（ｉ，ｋ）で表される重み係数を決定することができる（３３５）。例示することのみを目的として、一例の重みは、有能電力を正のＣＣ特有の電力ヘッドルームの報告の総和で割った商である、つまり
【０１１８】
【数１９】
0005555326.tif 000021
【０１１９】
とすることができる。
【０１２０】
他の重みも可能であり（３４０）、これは、例えば、正の電力ヘッドルームのＣＣに関する相対的送信電力に基づくものであり、この場合、それぞれのＣＣ  ｊについて、α（ｉ，ｊ，ｋ）で表される以下の別の重みがありうる。
【０１２１】
【数２０】
0005555326.tif 000022
【０１２２】
α（ｉ，ｋ）を計算するために使用される方法があるにも関わらず、場合Ｂの方法を完了した後、正のヘッドルームを有するものとして識別されたＣＣの電力ヘッドルームの報告の総和が有能電力に等しくなるように重みを計算することができる。
【０１２３】
正のヘッドルームを有するものとして識別されたＣＣについて（３４５）、ＷＴＲＵは、
【０１２４】
【数２１】
0005555326.tif 000023
【０１２５】
をＰWHCC（ｉ，ｊ）・α（ｉ，ｋ）、あるいは、例えば、ＰWHCC（ｉ，ｊ）・α（ｉ，ｊ，ｋ）に等しいものとして報告することができ、これは、ｄＢ形式、つまり、
【０１２６】
【数２２】
0005555326.tif 000024
【０１２７】
あるいは、
【０１２８】
【数２３】
0005555326.tif 000025
【０１２９】
に変換される。ただし、正のヘッドルームＣＣに対する報告されるヘッドルームは、現在は、元々決定されているものより低いか、または等しい（３５０）。
【０１３０】
負のヘッドルームを有するものとして識別されたＣＣでは（３４５）、ＷＴＲＵは、
【０１３１】
【数２４】
0005555326.tif 000026
【０１３２】
をＰHCC（ｉ，ｊ）に等しいものとして、つまり、元々決定されていた通りのシグナリングされるＣＣ特有のヘッドルームに等しいものとして報告することができる（３５５）。
【０１３３】
場合Ｃは、ＰＡ有能電力が負である場合であり、図４に示されている。この場合、場合Ａおよび場合Ｂとは異なり、負のヘッドルームのＣＣに対する実際のヘッドルームをシグナリングし、将来のグラントによりその送信電力を低減する基地局は、負のＰＡ有能電力をもたらす、つまり、そのようなグラントは、最大許容電力より高い電力でのＰＡの送信を「要求」することができる。これは、基地局が将来のグラントによるその送信電力をゼロワットにまで下げることができるように正のヘッドルームのＣＣに対するヘッドルームがシグナリングされたとしてもそうであるものとしてよい。したがって、負のヘッドルームの報告は、基地局がすべてのＣＣの将来のグラントにより送信電力を低減できるようにすべてのＣＣについてシグナリングすることができ、したがってＰＡは、その最大電力を超えず、その最大電力でのみ送信することを「要求」されうる。これは、第１に、場合Ａおよび場合Ｂと同様に、将来のグラントで負のヘッドルームのＣＣの送信電力をその最大値まで低減することができる場合に、結果として生じる負のＰＡ有能電力となりうるもの、つまり、電力不足を考慮し、第２に、何らかの方法でその電力不足をすべてのＣＣに分配してＰＡがその最大送信電力状態になるようにすることで達成されうる。基地局がこの効果をもたらすために将来のグラントによりＣＣ特有の送信電力を要求できるようにＣＣ特有のヘッドルームの報告を計算し、シグナリングすることができる、つまり、基地局が将来のグラントによりすべてのＣＣ特有の送信電力をシグナリングされるその負のヘッドルームの報告によって低減するのであれば、すべてのＣＣは、その最大送信電力より小さく、また前のグラントによって要求されたものよりも低く、ＰＡはその最大送信電力の状態にあるものとしてよい。この場合、シグナリングされるヘッドルームの報告は、ＣＣ特有の最大送信電力に関してではなく、前のグラントからの送信電力に関して計算されることに留意されたい。いずれの場合も、所望の効果が実現されるべきである。
【０１３４】
場合Ｃにおいて、ＰＡ有能電力ＰWAPA（ｉ，ｋ）が負である、つまり、ＰWAPA（ｉ，ｋ）＜０である場合、負のヘッドルームを有する（４１０）ものとして識別されたＣＣについて（４０５）、ＰW1CC（ｉ，ｊ）と表される第１の一時的なＣＣ特有の送信電力をＣＣ毎の最大送信電力に設定し（４１５）、正のヘッドルームを有する（４１０）ものとして識別されたＣＣについて、第１の一時的なＣＣ特有の送信電力を要求されたＣＣ特有の送信電力に設定する（４２０）。次いで、線形形式に変換する（４２５）、つまり
【０１３５】
【数２５】
0005555326.tif 000027
【０１３６】
ＰW1CC（ｉ，ｊ）＝１０P0CC(i,j)/10    式（２３）
となる。
【０１３７】
次いで、ＷＴＲＵは、
【０１３８】
【数２６】
0005555326.tif 000028
【０１３９】
のように、β（ｉ，ｊ）で表される、ＣＣ特有の重み係数を、それぞれのＣＣに割り当てられた個別の重み係数から計算する（４３０）ことができ、ここで、ｗ（ｉ，ｊ）は、値が高いほどＣＣの優先度が高い数値として表される優先度とすることができる。例えば、優先度は、ＣＣによってサポートされているデータもしくはサービスの優先度、該当する場合にＰW1CC（ｉ，ｊ）の決定により修正されるＣＣ特有の送信電力ＰW1CC（ｉ，ｊ）、これらの何らかの組合せ、または他の何らかの基準に基づくものとすることができる。
【０１４０】
β（ｉ，ｊ）≦１に留意されたい。つまり、重みは、
【０１４１】
【数２７】
0005555326.tif 000029
【０１４２】
となるように、またＰW2CC（ｉ，ｊ）を決定した後に、ＣＣ特有の送信電力の総和が最大ＰＡ送信電力に等しくなるように決定されうるということである。
【０１４３】
次いで、すべてのＣＣについて、ＷＴＲＵは、ＰW2CC（ｉ，ｊ）で表される、低減された第２の一時的なＣＣ特有の送信電力を計算することができ、その際に、有能電力は、係数β（ｉ，ｊ）に従って分配されうる（４４０）、つまり
ＰW2CC（ｉ，ｊ）＝ＰW1CC（ｉ，ｊ）＋β（ｉ，ｊ）・ＰWAPA（ｉ，ｋ）    式（２５）
となる。
【０１４４】
次いで、すべてのＣＣについて、ＷＴＲＵは、低減された第２のＣＣ特有の送信電力と元の要求されたＣＣ特有の送信電力との比（ｄＢ単位）としてシグナリングされるヘッドルームを計算する（４５０）ことができる、つまり、
【０１４５】
【数２８】
0005555326.tif 000030
【０１４６】
である。
【０１４７】
場合Ｃでは、変数である第１および第２の「一時的なＣＣ特有の送信電力」は、この方法で使用される中間変数であり、ＰＡ送信電力もＣＣ送信電力もこれらの値に設定されていないことに留意されたい。
【０１４８】
ここでは、ＣＣ特有の電力ヘッドルームをシグナリングするための例示的な別の方法を説明する。この例示的な方法では、ＷＴＲＵは、以下でＰ’HCC（ｉ，ｊ）と表される、修正されたＣＣ特有のヘッドルームをすべてのＪ  ＣＣについて基地局にシグナリングする。基地局は、ＣＣからＰＡへのマッピングを知る必要はなく、基地局内の電力制御アルゴリズムが、それぞれのＣＣにおける電力ヘッドルームを認識することができ、制限がＰ−ＭａｘまたはＰAMAXによるものであるかどうかを知ることはない。この例示的な方法は、代替的形態２と称されうる。
【０１４９】
サブフレームｉ内のＣＣ  ｊに対してＰHCC（ｉ，ｊ）で表される電力ヘッドルームは、ＰＵＣＣＨ送信または同時ＰＵＳＣＨおよびＰＵＣＣＨ送信に対して、それぞれ、式（７）および（６）に示されているようにＪ個すべてのＣＣについてＷＴＲＵによって決定されうる。
【０１５０】
次いで、ＷＴＲＵは、
Ｐ’HCC（ｉ，ｊ）＝ｍｉｎ（ＰHCC（ｉ，ｊ），ＰHPA（ｉ，ｋ））    式（２７）
のようにサブフレーム内のそれぞれのＣＣについて修正された電力ヘッドルームを決定し、シグナリングするが、ただし、ＰHPA（ｉ，ｋ）は上で説明されている通りのものであり、ＣＣ  ｊはＰＡ  ｋにマッピングされる。
【０１５１】
ここでは、ＷＴＲＵ最大電力制限がありうる場合のキャリアアグリゲーションに関する電力ヘッドルームの報告を行うための例示的な方法を説明する。コンポーネントキャリア毎の送信電力の総和は、１つのコンポーネントキャリアの送信電力を上げ下げすることが別のコンポーネントキャリアにおける送信電力を上げる能力に影響を及ぼしうるような形で何らかの最大送信電力に左右される可能性がある。この最大送信電力を考慮するため、ＷＴＲＵ最大電力制限があるときにＣＣ特有の電力ヘッドルームの計算およびシグナリングための例示的な方法を含める。
【０１５２】
ＣＣ毎の最大送信電力ＰＭａｘ（ｊ）の総和より小さいＰUEMAXとして表されるＷＴＲＵ最大送信電力の場合、ＣＣ特有の電力ヘッドルームをシグナリングするための第１の例示的な方法（代替的形態１）を使用するとその結果、ＷＴＲＵはＣＣ毎の電力ヘッドルームを報告し、その結果、基地局はＷＴＲＵ最大送信電力を超えるＷＴＲＵ送信電力に対応しうるグラントをスケジュールすることができる。第１の例示的な方法では、電力の制約条件は、ＣＣ毎の最大送信電力ＰＭａｘ（ｊ）と、ＰＡ毎の最大送信電力ＰAMAX（ｋ）である。基地局は、ＷＴＲＵからのシグナリングされたＣＣ特有の電力ヘッドルームを使用することによって、ＣＣにおける最大電力を超えることを回避し、ＰＡにおける最大電力を超えることを回避するグラントをスケジュールすることができる。
【０１５３】
本発明の例示的な方法では、基地局は、ＷＴＲＵからのシグナリングされたＣＣ特有のヘッドルームを使用することによって、ＣＣにおける最大電力およびＷＴＲＵの最大許容送信電力、および適宜ＰＡにおける最大電力を超えることを回避するグラントをスケジュールすることができる。ＷＴＲＵからＣＣへの、および適宜ＣＣからＰＡへのマッピングを、３つのＣＣが１つのＷＴＲＵによって送信され、これらのＣＣが２つのＰＡにマッピングされうる表２に示されている例により例示することができる。
【０１５４】
【表２】
0005555326.tif 000031
【０１５５】
所与のサブフレームについて、ＷＴＲＵの公称送信電力、つまり、最大電力のプロシージャによって低減される前の電力は、線形形式で、
【０１５６】
【数２９】
0005555326.tif 000032
【０１５７】
である。
【０１５８】
従来の方法で計算されたＣＣ毎のヘッドルームＰHCC（ｉ，ｊ）が与えられ、基地局がＷＴＲＵの１００％の送信電力能力がスケジュールされるように将来のグラントをスケジュールすることができるとした場合、ＰWWTRU（ｉ＋ｒ）で表される仮説的な将来のサブフレームｉ＋ｒの送信電力は、
【０１５９】
【数３０】
0005555326.tif 000033
【０１６０】
であるものとしてよい。
【０１６１】
ＰWWTRU（ｉ＋ｒ）がＰWTRUMAX（線形形式）を超えるとすれば、ＣＣにおける最大電力だけでなくＷＴＲＵの最大許容送信電力を超えることを回避するために報告されたＣＣ毎の電力ヘッドルームＰHCC（ｉ，ｊ）の一部または全部をさらに低減しなければならない場合がある。
【０１６２】
従来の方法で計算されたヘッドルームＰHCC（ｉ，ｊ）から報告されたＣＣ毎の電力ヘッドルームを修正するための例示的な方法を次に説明する。修正されたＰHCC（ｉ，ｊ）は、Ｐ’’HCC（ｉ，ｊ）と表されるものとしてよい。最初に、ＰWHCC（ｉ，ｊ）を
ＰWHCC（ｉ，ｊ）＝１０PMax(j)/10−１０PCC(i,j)/10    式（２９）
のようにｄＢ形式ではなく線形形式でＰHCC（ｉ，ｊ）として定義する。
【０１６３】
ＷＴＲＵは、ＰHWTRU（ｉ）［ｄＢ］として表される、サブフレームｉにおけるＷＴＲＵに対する電力ヘッドルームを決定することができる。ＰWHWTRU（ｉ）をｄＢ形式ではなく線形形式で
【０１６４】
【数３１】
0005555326.tif 000034
【０１６５】
として定義する。
【０１６６】
次いで、ＷＴＲＵは、正の線形のヘッドルーム、つまり、ＰWHCC（ｉ，ｊ）≧０であるＣＣを、また負の線形のヘッドルーム、つまり、ＰWHCC（ｉ，ｊ）＜０であるＣＣを識別することができる。ＰWAWTRU（ｉ）で表される、ＷＴＲＵ有能電力は、ＰWHWTRU（ｉ）に負のＰWHCC（ｉ，ｊ）を有するすべてのＣＣ  ｊについてのＰWHCC（ｉ，ｊ）の総和を加えたもの、つまり、
【０１６７】
【数３２】
0005555326.tif 000035
【０１６８】
またはそれと同等のものとして
【０１６９】
【数３３】
0005555326.tif 000036
【０１７０】
として決定することができ、ここで、ＰWAWTRU（ｉ）≧ＰＷHWTRU（ｉ）である。
【０１７１】
場合Ａ、ＢおよびＣとして表される。該当する場合のうちの１つを使って、ＷＴＲＵは、ＣＣ特有のヘッドルームを計算し、シグナリングすることができる。
【０１７２】
場合Ａでは、ＷＴＲＵ有能電力ＰWAWTRU（ｉ）が正かつ正のヘッドルームを有するものとして識別されたＣＣに対するＣＣ特有のヘッドルームの総和以上である、つまり
【０１７３】
【数３４】
0005555326.tif 000037
【０１７４】
または、それと同等のものとして
【０１７５】
【数３５】
0005555326.tif 000038
【０１７６】
である場合、ＷＴＲＵは、すべてのＣＣについて、
【０１７７】
【数３６】
0005555326.tif 000039
【０１７８】
をＰHCC（ｉ，ｊ）に等しいものとして報告することができる。
【０１７９】
場合Ｂでは、ＷＴＲＵ有能電力ＰWAWTRU（ｉ）が正かつ正のヘッドルームを有するものとして識別されたＣＣに対するＣＣ特有のヘッドルームの総和未満であるものとしてよい、つまり
【０１８０】
【数３７】
0005555326.tif 000040
【０１８１】
または、それと同等のものとして
【０１８２】
【数３８】
0005555326.tif 000041
【０１８３】
である場合、ＷＴＲＵは、正のヘッドルームを有するものとして識別されたＣＣ間に有能電力を全部分配するためにα（１）で表される重み係数を決定することができる。例えば、そのような可能な重みの１つは、有能電力を正のＣＣ特有の電力ヘッドルームの総和で割った商である、つまり
【０１８４】
【数３９】
0005555326.tif 000042
【０１８５】
とすることができる。
【０１８６】
他の重みも可能であり、例えば、正のヘッドルームＣＣに関する相対的送信電力に基づくものである。この場合、それぞれのＣＣ  ｊに対して、α（ｉ，ｊ）で表される、個別の重み、つまり
【０１８７】
【数４０】
0005555326.tif 000043
【０１８８】
がありうる。
【０１８９】
重み係数を計算するために使用される特定の方法があるにも関わらず、正のヘッドルームを有するものとして識別されたＣＣのヘッドルームの総和が、後述のようにＰ”HCC（ｉ，ｊ）を計算した後に有能電力に等しくなるように重みを計算することができる。
【０１９０】
正のヘッドルームを有するものとして識別されたＣＣについて、ＷＴＲＵは、Ｐ”HCC（ｉ，ｊ）をＰHCC（ｉ，ｊ）α（ｉ）に等しいものとして、あるいはＰWHCC（ｉ，ｊ）α（ｉ，ｊ）に等しいものとして報告することができ、これは、ｄＢ形式
【０１９１】
【数４１】
0005555326.tif 000044
【０１９２】
あるいは
【０１９３】
【数４２】
0005555326.tif 000045
【０１９４】
に変換することができる。
【０１９５】
正のヘッドルームＣＣに対する報告されるヘッドルームは、現在は、ＰHCC（ｉ，ｊ）より低いか、または等しいことに留意されたい。
【０１９６】
負のヘッドルームを有するものとして識別されたＣＣについて、ＷＴＲＵは、
【０１９７】
【数４３】
0005555326.tif 000046
【０１９８】
をＰHCC（ｉ，ｊ）に等しいものとして報告することができる。
【０１９９】
場合３において、ＷＴＲＵ有能電力ＰWAWTRU（ｉ）が負である、つまり、ＰWAWTRU（ｉ）＜０である場合、負のヘッドルームを有するものとして識別されたＣＣについて、ＰW1CC（ｉ，ｊ）と表される第１の一時的なＣＣ特有の送信電力をＣＣ毎の最大送信電力に設定し、正のヘッドルームを有するものとして識別されたＣＣについて、第１の一時的なＣＣ特有の送信電力を要求されたＣＣ特有の送信電力に設定する。これらを線形形式
【０２００】
【数４４】
0005555326.tif 000047
【０２０１】
ＰW1CC（ｉ，ｊ）＝１０P0CC(i,j)/10    式（３８）
に変換する。
【０２０２】
次いで、ＷＴＲＵは、
【０２０３】
【数４５】
0005555326.tif 000048
【０２０４】
のように、β（ｉ，ｊ）で表される、ＣＣ特有の重み係数を、それぞれのＣＣに割り当てられた個別の重み係数から変換することができ、ここで、ｗ（ｉ，ｊ）は、値が高いほどＣＣの優先度が高い数値として表される優先度とすることができる。例えば、これは、ＣＣによってサポートされているデータもしくはサービスの優先度、該当する場合に負または正のヘッドルームにより修正されるＣＣ特有の送信電力（ＰW1CC（ｉ，ｊ））、これらの何らかの組合せ、または他の何らかの基準に基づくものとすることができる。
【０２０５】
β（ｉ，ｊ）≦１であることに注目すると、ＣＣ特有の送信電力に使用できる方法であっても、項
【０２０６】
【数４６】
0005555326.tif 000049
【０２０７】
が成り立ち、Ｐ”HCCを計算した後に、ＣＣ特有の送信電力の総和がＷＴＲＵ最大送信電力に等しくなるように重みを決定することができる。
【０２０８】
次いで、すべてのＣＣについて、ＷＴＲＵは、ＰW2CC（ｉ，ｊ）で表される、低減された第２の一時的なＣＣ特有の送信電力を計算することができ、その際に、有能電力は、係数β（ｉ，ｊ）に従って分配される、つまり
ＰW2CC（ｉ，ｊ）＝ＰW1CC（ｉ，ｊ）＋β（ｉ，ｊ）・ＰWAWTRU（ｉ）  式（４０）
である。
【０２０９】
次いで、すべてのＣＣについて、ＷＴＲＵは、低減された第２のＣＣ特有の送信電力と元の要求されたＣＣ特有の送信電力との比（ｄＢ単位）としてシグナリングされるヘッドルームを計算することができる、つまり、
【０２１０】
【数４７】
0005555326.tif 000050
【０２１１】
である。
【０２１２】
ＣＣ最大電力およびＷＴＲＵ最大電力を考慮することに加えてＰＡの最大電力を考慮するために、この方法は、ＷＴＲＵがＷＴＲＵにおいて利用可能なヘッドルームの最小量を表す１つのヘッドルームをシグナリングするようにＣＣ特有の電力ヘッドルームをシグナリングするための最初と最後の方法を組み合わせる選択肢を含みうる（つまり、最悪の場合のシナリオ）。これは、ヘッドルームとして、Ｐ’HCC（ｉ，ｊ）とＰ”HCC（ｉ，ｊ）のうちの低い方の値をヘッドルームとして選択してシグナリングすることに対応しうる。
【０２１３】
ここでは、フォールバックシナリオに対する電力ヘッドルームの報告（ＰＨＲ）を構成するための例示的な方法を説明する。所与のサブフレームにおいて、Ｎ個のコンポーネントキャリアが与えられた場合、ＷＴＲＵは、送信方式の最大２＾Ｎ個の組合せのうちの１つを使用する。ＰＨＲトリガが発生すると、電力ヘッドルームは、そのサブフレームにおいて同時に使用される１つの送信方式組合せについてＷＴＲＵによって報告されうる。所与のＣＣについて、電力ヘッドルームは、２つの送信方式の間の送信電力要件が潜在的に異なる可能性があるため構成された送信方式とフォールバックの送信方式で受けるヘッドルーム間で著しく異なることがある。基地局は、１つの特定送信方式組合せに対して報告される電力ヘッドルームにのみに依存し、ＷＴＲＵに対して適切なスケジューリング上の決定を下すために利用可能な情報の完全な集合を持たない場合がある。
【０２１４】
ＬＴＥ  Ｒ８には、１つの周期的タイマと１つの禁止タイマがある。電力ヘッドルームは、周期的タイマがタイムアウトになるか、または前のヘッドルームの報告以降に大きな経路損失の変更があり、禁止タイマがタイムアウトになった場合に報告されうる。
【０２１５】
複数のコンポーネントキャリアに対する例示的方法において、ＷＴＲＵは、ＷＴＲＵに対する（あるいは、それぞれのＣＣに対する）ＷＴＲＵ（あるいは、ＣＣ特有の）禁止タイマの代わりに、またはそれに加えて送信方式の２＾Ｎ個の可能な組合せのそれぞれに対して１つの組合せ禁止タイマを有することができる。それぞれの組合せ禁止タイマは、異なる値、または同じ値でセット／リセットすることができる。これらのセット／リセットされた値は、固定されているか、またはｐｒｏｈｉｂｉｔＰＨＲ−Ｔｉｍｅｒと同様に、新しいパラメータをシグナリングする基地局によって構成されうる。
【０２１６】
トリガがかかると、ＷＴＲＵは、現在の送信方式組合せについてすべてのコンポーネントキャリアに対して同時に電力ヘッドルームを送信し、その組合せに対する禁止タイマだけでなく、周期的タイマをも再起動することができる。基地局がＷＴＲＵの送信方式組合せを変更する場合には必ず、ＷＴＲＵは、新しい送信方式組合せについてすべてのアクティブな（あるいは、すべての構成されている）コンポーネントキャリアに対する電力ヘッドルームを、その組合せの禁止タイマによって禁止されていない限り（その同じ送信方式組合せに対する最近の電力ヘッドルームの報告があるため）送信することができる。
【０２１７】
すべてのコンポーネントキャリアがシングルアンテナポートモードに入るように構成されている場合、フォールバックは発生せず、したがって、図示されているようなトリガアルゴリズムを修正すると、その結果、電力ヘッドルームは修正が実装されていなかったかのように報告される。
【０２１８】
フォールバックに対するＰＨＲの例示的な実装が電力ヘッドルームの報告プロシージャへの修正として表３に提示されており、そこでは、ＷＴＲＵ禁止タイマは組合せ禁止タイマで置き換えることができる。
【０２１９】
【表３】
0005555326.tif 000051
【０２２０】
0005555326.tif 000052
【０２２１】
表３の方法を例示する図は、例えば、２＾Ｎの可能な送信方式組合せのうちの３つの組合せの使用を示しており、図５に示されている。例示されているように、方式０に対する初期ＰＨＲが送信され、続いて、方式０の周期的タイマのタイムアウト後に別のＰＨＲが送信される。別の方式１のＰＨＲは、方式１への変更に基づき送信される。第２のＰＨＲは、方式１の周期的タイマのタイムアウト後に送信される。しかし、方式１に対するイベントによってトリガされるＰＨＲは、方式１のタイマがまだアクティブ状態であるため禁止される。方式２に変更した後、媒体アクセス制御（ＭＡＣ）バッファ空間が不足しているので、ＰＨＲを送信する試みは禁止される。方式２への変更によってトリガされたＰＨＲは、後で正常に送信される。
【０２２２】
あるいは、基地局は、ただ１つの禁止タイマの起動値をシグナリングするのではなく、それぞれの送信方式組合せに対して個別の禁止タイマの起動値をシグナリングすることができる。１つの共通の禁止タイマの起動値を使用すること、または個別のそのような値のシグナリングは、固定されているか、または構成可能であるものとしてよい。
【０２２３】
別の方法では、前の送信以降に送信方式組合せが変更されたこと、また送信方式組合せの禁止タイマがタイムアウトになっていないことを仮定すると、すべての構成された（あるいはすべてのアクティブの）コンポーネントキャリアに対する電力ヘッドルームを送信するのではなく、ＷＴＲＵは、変更された送信方式でコンポーネントキャリアに対する電力ヘッドルームを送信することができる。あるいは、構成された送信方式を使用するすべての構成された（あるいはすべてのアクティブの）コンポーネントキャリア、またはフォールバック送信方式を使用するすべての構成された（あるいはすべてのアクティブの）コンポーネントキャリアへの送信方式の遷移に対し、ＷＴＲＵは、すべての構成された（あるいはすべてのアクティブの）コンポーネントキャリアに対する電力ヘッドルームを送信することができる。さもなければ、ＷＴＲＵは、変更されたコンポーネントキャリアだけの電力ヘッドルームの報告を送信することができる。これらの方法の使用は、固定されるか、または構成可能なものであってもよい。
【０２２４】
フェイクコンポーネントキャリアに対する送信方式は、好ましい構成された方式ではなくフォールバック方式とすることができる。選択は、すべてのフェイクＣＣに対して共通になるように、またはコンポーネントキャリア毎に構成可能であるものとしてよい。
【０２２５】
ここでは、ＷＴＲＵ最大送信電力を考慮するキャリアアグリゲーションの追加の例示的な方法を説明する。ＷＴＲＵ最大送信電力がある場合、１つのコンポーネントキャリアの送信電力を上げ下げすることは、別のコンポーネントキャリアの送信電力を上げる能力に影響を及ぼしうる。
【０２２６】
１つの例示的な方法では、ＷＴＲＵは、ＣＣに対する電力ヘッドルームを、基地局のスケジューラがその特定の報告された電力ヘッドルームにのみ応答するかのように計算して、報告することができ、他のＣＣのグラントを変更しない。それぞれのコンポーネントキャリアについて、ＷＴＲＵは、すべての他のコンポーネントキャリアの送信電力に変更がない場合に、電力ヘッドルームを、ＣＣ最大送信電力に関するヘッドルームとＷＴＲＵ最大送信電力に関するヘッドルームのうちの小さい方として決定することができる。この方法で、ＷＴＲＵは、ＣＣ毎に１つのＰＨを報告する。
【０２２７】
この方法の例を以下に示す。これが簡素化された例であること、したがってすべての効果（最大電力低減（ＭＰＲ）およびその他など）を考慮していない場合があることに留意されたい。また、電力ヘッドルームは、典型的にはデシベル（ｄＢ）単位で報告され、ここではワットは、説明を簡単にするために使用されていることにも留意されたい。
【０２２８】
グラントに基づき、それぞれ、０．７５Ｗおよび０．２５Ｗで送信することができる、ＣＣ１およびＣＣ２という２つのＣＣが与えられたとする。また、１ＷのＣＣ毎の最大許容送信電力および１ＷのＷＴＲＵ最大許容送信電力が与えられるとする。ＣＣ毎の最大値のみを考慮すると、それぞれのＣＣは正のヘッドルームを有するように見える。しかし、電力の総和は１Ｗであるため、ＷＴＲＵは、ＷＴＲＵ最大値に関してヘッドルームを有していない。ＷＴＲＵは、両方のＣＣに対してヘッドルームがない（０である）ことを報告することができ、これは、一方のＣＣに対するグラントを、他方に対するグラントを減じることなく高めることはできないことを基地局に指示する。別の実施例では、ＷＴＲＵ制限は、１．５Ｗとして規定することができる。この例では、ＣＣ１は、単独で０．２５Ｗ増大され、ＣＣ２は、単独で０．７５Ｗ増大されるものとしてよい。合計を上げることができる最大値は０．５Ｗである。ＣＣ１は、ＣＣ制限（さらに０．２５Ｗ上げることができる）に基づきヘッドルームを報告し、ＣＣ２はＷＴＲＵ制限（さらに０．５Ｗ上げることができる）に基づきヘッドルームを報告する。この方法の変更形態として、ＷＴＲＵは、説明されている通りのそれぞれのＣＣに対する電力ヘッドルームとそのＣＣ最大電力制限に関するそれぞれのＣＣに対する電力ヘッドルームの両方を決定し、報告することができる。従って、ＷＴＲＵは、ＣＣ毎に２つの電力ヘッドルームを報告することができる。
【０２２９】
あるいは、ＷＴＲＵは、上記の両方の方法に従って電力ヘッドルームを決定し、報告することができる。この方法では、ＷＴＲＵは、ＣＣ毎に２つの電力ヘッドルームを報告することができる。この方法では、上述した方法より多くのＰＨＲシグナリングを利用することができるが、電力ヘッドルームに関する情報の最も完全な集合を基地局に提供する。
【０２３０】
上記の方法およびＷＴＲＵ最大電力制限がある本明細書で説明されている他の方法の一変更形態では、基地局がすべての報告される電力ヘッドルームに基づき動作し、最大電力制約条件に反しないように複数のコンポーネントキャリアの公称電力ヘッドルームを修正するものとしてよい。例えば、これらの方法のそれぞれにおいて、ＷＴＲＵは、低誘電度より高い優先度のＣＣにより多くのヘッドルームを割り当てられるようにそれぞれのＣＣについて電力ヘッドルームを計算することができる。ＷＴＲＵは、最初に、それぞれのＣＣに対する実際の（公称）ヘッドルームを計算し、次いで、より低い優先度のコンポーネントキャリアのものに比べて高い優先度のコンポーネントキャリアについてより正のヘッドルームを報告するようにヘッドルームを調整することができる。優先順位付けは、ＣＣの種類に基づくものとしてよく、例えば、プライマリＣＣ（ＰＣＣ）は、セカンダリＣＣ（ＳＣＣ）より高い優先度を有することができる。あるいは、優先順位付けは最大電力プロシージャ優先順位付け規則に類似の規則に従うものとしてよく、例えば、ＰＵＣＣＨが最高の優先度を有し、アップリンク制御情報（ＵＣＩ）を持つＰＵＳＣＨが次に高い優先度を有し、ＵＣＩを持たないＰＵＳＣＨが最低の優先度を有する。この場合、ヘッドルーム割り当てに対する優先度は、ＣＣがどのチャネルを伝送しているかに基づくものとしてよい。
【０２３１】
電力ヘッドルームは、実コンポーネントキャリアと仮想コンポーネントキャリアの何らかの組合せについて報告することができる場合もある。
【０２３２】
コンポーネントキャリアが他のコンポーネントキャリアと同時に送信されるとその結果、相互変調および他の効果が発生し、最大送信電力に影響を及ぼす可能性があり、またコンポーネントキャリア毎の電力ヘッドルームにも影響を及ぼしうる。
【０２３３】
電力ヘッドルームを計算し、報告するための方法は、本明細書では、スケジューリングの決定を下す基地局をサポートするために実コンポーネントキャリアとともに仮想コンポーネントキャリアもありうるとして説明されている。これらの方法では、他のＣＣが存在することによる効果は、それらの送信電力、相互変調効果、ＭＰＲへの影響、および／または同様の要因による効果を含みうる。例示的な方法では、ＣＣ上のチャネルの送信特性（周波数、リソースブロックの個数など）に基づくルックアップテーブルもしくは計算を利用することができる。
【０２３４】
ＷＴＲＵが仮想ＣＣに対する電力ヘッドルームを報告する場合、ＷＴＲＵは、実ＣＣ上の電力ヘッドルームを送信することができ、その際に、実ＣＣは、基地局からのシグナリングを介して構成可能であるものとしてよい。あるいは、ＷＴＲＵは、仮想ＣＣの電力ヘッドルームの送信に対して実ＣＣを自律的に決定することができる。例えば、ＷＴＲＵは、最大のＵＬグラントを有する実ＣＣ、またはグラントを有する場合に一次ＵＬ  ＣＣを使用することができる。
【０２３５】
ここでは、実ＣＣに対する電力ヘッドルームの報告のための例示的な方法を説明する。例示的な一方法では、実ＵＬ  ＣＣ（グラントのあるコンポーネントキャリア）と仮想ＵＬコンポーネントキャリア（アクティブであるか、または構成されている、グラントなしのコンポーネントキャリア）の両方を含むことができるサブフレームに対して、ＷＴＲＵは、それぞれの実ＣＣについて、他の実ＣＣの存在（つまり、その存在による効果）を考慮して電力ヘッドルームを計算することができる。実ＣＣに対する電力ヘッドルームを決定するときに仮想ＣＣを無視することができる。ＷＴＲＵは、実ＣＣのそれぞれについて１つの電力ヘッドルームを報告することができる。この例示的な方法は、ヘッドルームの報告時にＷＴＲＵの実際の状態を表すことができる。この方法は、所与のサブフレーム内に仮想ＣＣがあろうがなかろうが、任意のサブフレーム内の仮想ＣＣについて電力ヘッドルームが報告されうるかどうかに関係なく適用可能である。
【０２３６】
別の方法では、仮想ＣＣが基準または他の何らかの方法で指定されたフォーマットとともに送信されると仮定して、実ＵＬ  ＣＣ（グラントのあるコンポーネントキャリア）と仮想ＵＬコンポーネントキャリア（アクティブであるか、または構成されている、グラントなしのコンポーネントキャリア）の両方を含むことができるサブフレームに対して、ＷＴＲＵは、それぞれの実ＣＣについて、他の実ＣＣおよび仮想ＣＣの存在（つまり、その存在による効果）を考慮して電力ヘッドルームを計算することができる。ＷＴＲＵは、実ＣＣのそれぞれについて１つの電力ヘッドルームを報告することができる。この方法では、実と仮想の両方のすべてのＣＣの存在を仮定し、追加のコンポーネントキャリアの存在はＭＰＲを上げて、最大電力を下げる傾向があるので、この例示的な方法は、追加の電力ヘッドルームの控えめな推定値を基地局に提供するものとしてよい。
【０２３７】
あるいは、ＷＴＲＵは、上記の２つの方法で説明されている通りに電力ヘッドルームを計算し、両方を報告することができる。この方法では、これらの方法のそれぞれを使用する以上に多くのＰＨＲシグナリングを利用することができるが、電力ヘッドルームに関する情報の最も完全な集合を基地局に提供することができる。
【０２３８】
別の代替的形態において、上述されている２つの方法のいずれかに従って電力ヘッドルームを報告するかどうかに関する基地局からのシグナリングを介して構成可能であるものとしてよい。このようにして、基地局は、それぞれの実ＣＣに対して１つのＰＨＲのみで必要とする情報を取得することができる。
【０２３９】
ここでは、仮想ＣＣに対する電力ヘッドルームの報告のための例示的な方法を説明する。例示的な一方法では、実ＵＬコンポーネントキャリア（グラントのあるコンポーネントキャリア）と仮想ＵＬコンポーネントキャリア（アクティブであるか、または構成されている、グラントなしのコンポーネントキャリア）の両方を含むことができるサブフレームに対して、ＷＴＲＵは、それぞれの仮想ＣＣについて、すべての実ＣＣの存在（つまり、その存在による効果）を考慮して電力ヘッドルームを計算することができる。他の仮想ＣＣは無視される。ＷＴＲＵは、仮想ＣＣのそれぞれについて１つの電力ヘッドルームを報告することができる。この方法は、基地局が１つの追加の仮想コンポーネントキャリアだけを（つまり、実ＣＣに加えて）スケジュールする場合に最も有用であるものと思われる。追加のコンポーネントキャリアの存在はＭＰＲを上げ、したがって最大電力を下げる傾向があるので、この例示的な方法は、仮想ＣＣに対する電力ヘッドルームの多めの推定値を基地局に提供するものとしてよい。
【０２４０】
別の方法では、実ＵＬ  ＣＣ（グラントのあるコンポーネントキャリア）と仮想ＵＬ  ＣＣ（アクティブであるか、または構成されている、グラントなしのコンポーネントキャリア）の両方を含むことができるサブフレームに対して、ＷＴＲＵは、それぞれの仮想ＣＣについて、実であろうと仮想であろうと、他のＣＣのどれもが存在していないかのように電力ヘッドルームを計算し、仮想ＣＣのそれぞれについて１つの電力ヘッドルームを報告することができる。この例示的な方法は、基地局が仮想ＣＣのみをスケジュールする場合に最も有用であると思われる。
【０２４１】
別の例示的な方法では、仮想ＣＣが基準または他の何らかの方法で指定されたグラントまたはフォーマットとともに送信されると仮定して、実ＵＬ  ＣＣ（グラントのあるコンポーネントキャリア）と仮想ＵＬ  ＣＣ（アクティブであるか、または構成されている、グラントなしのコンポーネントキャリア）の両方を含むことができるサブフレームに対して、ＷＴＲＵは、それぞれの仮想ＣＣについて、すべての実ＣＣおよびすべての他の仮想ＣＣの存在（つまり、その存在による効果）を考慮して電力ヘッドルームを計算し、仮想ＣＣのそれぞれについて１つの電力ヘッドルームを報告することができる。この例示的な方法は、基地局がすべてのＣＣをスケジュールする場合に最も有用であると思われる。追加のコンポーネントキャリアの存在はＭＰＲを上げ、最大電力を下げる傾向があるので、この例示的な方法は、仮想ＣＣに対する電力ヘッドルームの控えめの推定値を基地局に提供するものとしてよい。
【０２４２】
別の方法では、ＷＴＲＵは、上述されている仮想ＣＣに対する電力ヘッドルームの報告の方法のうちの１つまたは複数で説明されているようにそれぞれの仮想ＣＣ電力ヘッドルームを計算し、報告する。この方法は、追加のシグナリングを必要とする。
【０２４３】
あるいは、仮想ＣＣに対するＰＨＲを計算し、報告するためにどの方法を使用するかについて基地局からのシグナリングを介して構成可能であるものとしてよい。このようにして、基地局は、それぞれの仮想ＣＣに対して１つのＰＨＲのみで必要とする情報を取得することができる。
【０２４４】
ここでは、１つまたは複数の媒体アクセス制御（ＭＡＣ）パケットデータユニットＰＤＵ内に電力ヘッドルームの報告を含めるための例示的な方法を説明する。ＬＴＥ  Ｒ８では、電力ヘッドルーム制御要素は、論理チャネルＩＤ（ＬＣＩＤ）１１０１０を持つＭＡＣ  ＰＤＵサブヘッダによって識別することができる。１０進法で１１から２７のＬＣＩＤに対応する１５個の予約済み論理チャネル、つまり、論理チャネル０１０１１から１１００１（２進法）がある。
【０２４５】
例示的な方法では、ＣＣ特有の、またはＰＡ特有の電力ヘッドルームの報告のサポートにより予約済み論理チャネルを再利用することができる。基地局とＷＴＲＵとの間のＭＡＣ構成ＲＲＣメッセージ交換の一部として、ＣＣとＰＨの報告論理チャネルとの間のマッピングを定義することができる。ＷＴＲＵは、基地局が備えるＣＣとＰＨ報告論理チャネルとの間のマッピングに基づいてＰＨの報告を構成することができる。あるいは、ＷＴＲＵは、マッピングを自律的に定義し、このマッピングを例えばＲＲＣメッセージを使用して基地局に伝達することができる。
【０２４６】
ＬＴＥ  Ｒ８の電力ヘッドルームのＭＡＣ制御要素は、１つのオクテットからなる。例示的な方法において、実際のＰＨの報告に６個の最下位ビットを使用し、２個の最上位ビットを予約することができる。代替的方法において、ＣＣ特有の、および／またはＰＡ特有のＰＨは、８ビットの集合からいくつかの６ビットの組合せを定義することによって報告されうる。８ビット中には、６ビットの２８個の組合せがある。ＰＨの６ビットの組合せとＣＣもしくはＰＡとの間のマッピングを基地局とＷＴＲＵとの間で交換することができる。次いで、ＷＴＲＵは、それぞれのＣＣについて、対応する６ビットの組合せを使用して、電力ヘッドルームを報告することができる。
【０２４７】
ここでは、電力ヘッドルームの報告を制御するための例示的な方法を説明する。ＬＴＥ  Ｒ８では、ＭＡＣ電力ヘッドルームの報告は、３つの主イベントによってトリガされうる。第１の場合において、ＭＡＣ電力ヘッドルームの報告は、PROHIBIT_PHR_TIMERがタイムアウトになるか、またはすでにタイムアウトになっており、最後の電力ヘッドルームの報告以降に経路損失がDL_PathlossChange ｄＢを超えて変化し、ＷＴＲＵが新しい送信用のＵＬリソースを有しているときにトリガされうる。第２の場合において、ＭＡＣ電力ヘッドルームの報告は、PERIODIC_PHR_TIMERがタイムアウトになったときにトリガされ、その場合に、ＰＨＲは「周期的ＰＨＲ」と称される。第３の場合において、ＭＡＣ電力ヘッドルームの報告は、周期的ＰＨＲの構成および再構成後にトリガされうる。
【０２４８】
電力ヘッドルームの報告を制御するための例示的な方法では、上述されている報告方法をＣＣに基づき、および／またはＰＡに基づき適用することができる。ＰＨの報告を目的とするＭＡＣ構成（PERIODIC_PHR_TIMER、PROHIBIT_PHR_TIMER、DL_PathlossChange閾値を含むことができる）は、ＣＣに基づき、および／またはＰＡに基づき基地局によってＷＴＲＵに送られうる。これらの構成を受信した後、ＷＴＲＵはそれらを適用する、つまり、ＣＣに基づき、および／またはＰＡに基づきＰＨの報告をトリガする時期を決定するために使用することができる。
【０２４９】
電力ヘッドルームの報告を制御するための別の方法では、ＷＴＲＵは、グループに基づきＣＣ特有の、および／またはＰＡ特有のＰＨの報告を制御することができる、つまり、ＣＣおよび／またはＰＡは、ＰＨの報告を制御することを目的としてグループ化することができるということである。ＷＴＲＵは、自律的であるか、または基地局と協働してグループ化を決定することができる。同じグループ内にあるＣＣおよび／またはＰＡの集合は、同じ報告構成パラメータ集合（PERIODIC_PHR_TIMER、PROHIBIT_PHR_TIMER、DL_PathlossChange閾値を含むことができる）または部分集合を使用して報告されるＰＨである。このグループは、ＣＣおよび／またはＰＡの完全な集合とすることができる。
【０２５０】
電力ヘッドルームの報告を制御するための別の方法では、ＰＨの報告の制御は、上記の２つの代替的方法の組合せを使用して行うことができる。
【０２５１】
これらの方法は、ＣＣに基づくか、またはＰＡに基づくか、またはＣＣおよび／またはＰＡの組合せに基づく、電力ヘッドルームの報告を無効にするための方法も含みうる。基地局からのインジケーション、またはＷＴＲＵによる自律的決定の後、ＷＴＲＵは、関連するＣＣおよび／またはＰＡに対するＰＨの報告を無効にすることができる。
【０２５２】
ここでは、電力ヘッドルームの報告に対するＭＡＣのＲＲＣ構成のための例示的な方法を説明する。ＲＲＣプロトコルを更新し、上述のＣＣおよび／またはＰＡのＰＨの報告アルゴリズムがサポートされるようにＭＡＣを構成することができる。一方法において、ＬＴＥ  Ｒ８のＭＡＣ構成ＩＥ（MAC-MainConfiguration）は、それぞれのＣＣおよび／またはそれぞれのＰＡについて複製することができる。別の方法では、ＬＴＥ  Ｒ８のＭＡＣ構成ＩＥ（MAC-MainConfiguration）内のＰＨの構成ＩＥは、ＣＣ毎におよび／またはＰＡ毎に複製することができる。別の方法では、ＲＲＣプロトコルの更新は、本明細書で説明されているようなＣＣ特有の最大電力および／またはＰＡ特有の最大電力をサポートするシステム情報ブロック（ＳＩＢ）の更新を含みうる。
【０２５３】
実施形態
１．コンポーネントキャリア上で行われる同時物理アップリンク共有チャネル（ＰＵＳＣＨ）／物理アップリンク制御チャネル（ＰＵＣＣＨ）送信に対する電力ヘッドルームを報告する方法であって、少なくとも１つのＰＵＳＣＨ送信電力および１つのＰＵＣＣＨ送信電力に基づき電力ヘッドルームを決定するステップを含むことを特徴とする方法。  
２．電力ヘッドルームを送信するステップをさらに含むことを特徴とする実施形態１の方法。  
３．ＰＵＣＣＨ送信が存在しない場合に基準フォーマットからＰＵＣＣＨ送信電力を導出するステップをさらに含むことを特徴とする前記実施形態のうちのいずれかの方法。  
４．基準フォーマットは、ダウンリンク制御情報フォーマット１Ａであることを特徴とする前記実施形態のうちのいずれかの方法。  
５．ＰＵＳＣＨ電力ヘッドルームを決定するステップをさらに含むことを特徴とする前記実施形態のうちのいずれかの方法。  
６．ＰＵＳＣＨ電力ヘッドルームを送信するステップをさらに含むことを特徴とする前記実施形態のうちのいずれかの方法。  
７．同時ＰＵＳＣＨ／ＰＵＣＣＨ送信を行わないコンポーネントキャリアに対する少なくとも１つのＰＵＳＣＨ送信電力に基づき電力ヘッドルームを決定するステップをさらに含むことを特徴とする前記実施形態のうちのいずれかの方法。  
８．電力ヘッドルームは、コンポーネントキャリアの最大送信電力とＰＵＳＣＨ送信電力とＰＵＣＣＨ送信電力との間の差であることを特徴とする前記実施形態のうちのいずれかの方法。  
９．トリガ後に現在の送信方式組合せのすべてのコンポーネントキャリアに対する電力ヘッドルームを送信するステップをさらに含むことを特徴とする前記実施形態のうちのいずれかの方法。  
１０．送信方式組合せに対して禁止および周期的タイマを再起動するステップをさらに含むことを特徴とする前記実施形態のうちの１つの実施形態の方法。  
１１．すべてのコンポーネントキャリアは、構成されたコンポーネントキャリアまたはアクティブなコンポーネントキャリアのうちの１つであることを特徴とする前記実施形態のうちのいずれかの方法。  
１２．電力ヘッドルームを報告するステップは、禁止タイマがタイムアウトするとトリガされ、現在の送信方式は、前の送信の送信方式組合せと異なることを特徴とする前記実施形態のうちのいずれかの方法。  
１３．それぞれの送信方式組合せに対して別々の禁止タイマ起動値を受信するステップをさらに含むことを特徴とする前記実施形態のうちのいずれかの方法。  
１４．電力ヘッドルームを決定するステップは、ＰＵＳＣＨ電力ヘッドルームを決定するステップをさらに含むことを特徴とする前記実施形態のうちのいずれかの方法。  
１５．ＰＵＣＣＨ電力ヘッドルームを決定するステップをさらに含むことを特徴とする前記実施形態のうちのいずれかの方法。  
１６．グループに基づき電力ヘッドルームの報告を制御するステップをさらに含み、グループは、コンポーネントキャリアおよび電力増幅器の少なくとも１つを含むことを特徴とする前記実施形態のうちのいずれかの方法。  
１７．グループは、無線送受信ユニットによって決定されることを特徴とする前記実施形態のうちのいずれかの方法。  
１８．基地局からグループを受信するステップをさらに含むことを特徴とする前記実施形態のうちのいずれかの方法。  
１９．グループは、グループのすべてのメンバに対する１つの報告構成を使用することを特徴とする前記実施形態のうちのいずれかの方法。  
２０．コンポーネントキャリアおよび電力増幅器のうちの少なくとも１つのグループを決定するステップを含むことを特徴とする電力ヘッドルームの報告を制御するための方法。  
２１．グループを使用して電力ヘッドルームの報告を制御するステップをさらに含むことを特徴とする実施形態２０の方法。  
２２．グループは、無線送受信ユニットまたは基地局のうちの一方によって決定されることを特徴とする実施形態２０〜２１のうちのいずれか１つの実施形態の方法。  
２３．グループは、グループのすべてのメンバに対する１つの報告構成を使用することを特徴とする実施形態２０〜２２のうちのいずれかの方法。  
２４．コンポーネントキャリア上で行われる同時物理アップリンク共有チャネル（ＰＵＳＣＨ）／物理アップリンク制御チャネル（ＰＵＣＣＨ）送信に対する電力ヘッドルームを報告する方法を実装する無線送受信ユニット（ＷＴＲＵ）であって、少なくとも１つのＰＵＳＣＨ送信電力および１つのＰＵＣＣＨ送信電力に基づき電力ヘッドルームを決定するように構成されたプロセッサを備えることを特徴とする無線送受信ユニット（ＷＴＲＵ）。  
２５．電力ヘッドルームを送信するように構成された送信機をさらに備えることを特徴とする実施形態２４のＷＴＲＵ。  
２６．電力ヘッドルームの報告を制御するための方法を実装する無線送受信ユニットであって、コンポーネントキャリアおよび電力増幅器のうちの少なくとも１つのグループを決定するように構成されたプロセッサを備えることを特徴とする無線送受信ユニット。  
２７．グループを使用して電力ヘッドルームの報告を制御するように構成された送信機をさらに備えることを特徴とする実施形態２６のＷＴＲＵ。  
２８．ワイヤレス通信で電力ヘッドルームを報告するための方法であって、電力増幅器（ＰＡ）に基づき、またコンポーネントキャリア（ＣＣ）に基づき電力ヘッドルーム（ＰＨ）を決定するステップを含むことを特徴とする方法。  
２９．報告内の決定されたＰＨを送信するステップをさらに含むことを特徴とする実施形態２８の方法。  
３０．送信された報告に応答して制御信号を受信するステップをさらに含むことを特徴とする実施形態２８〜２９のうちのいずれかの方法。  
３１．ワイヤレス送信は、少なくとも１つの（ｋ）電力増幅器（ＰＡ）を使用して少なくとも１つの（Ｊ）コンポーネントキャリア（ＣＣ）上で行われることを特徴とする実施形態２８〜３０のうちのいずれかの方法。  
３２．ＰＨは、ＰＡにマッピングされたＣＣについて決定されることを特徴とする実施形態２８〜３１のうちのいずれかの方法。  
３３．高度化ノードＢ（ｅＮＢ）は、所定の基準に基づき無線送受信ユニット（ＷＴＲＵ）のＰＡへのそれぞれのＣＣに対するマッピングを格納するか、またはマッピングを決定し、そのマッピングをＷＴＲＵにシグナリングすることを特徴とする実施形態２８〜３２のうちのいずれかの方法。  
３４．マッピングは、無線送受信ユニット（ＷＴＲＵ）カテゴリおよび周波数帯域によって定義された既知の事前に確定されている構成に基づくことを特徴とする実施形態２８〜３３のうちのいずれかの方法。  
３５．ｅＮＢは、マッピングを決定し、ｅＮＢが、ＷＴＲＵ能力情報の一部としてシグナリングされたＷＴＲＵカテゴリ情報からＷＴＲＵにおけるＰＡの数を暗黙のうちに決定するか、またはＰＡの数と最大送信電力を含むそれらの特性とを報告でｅＮＢに直接シグナリングすることを特徴とする実施形態２８〜３４のうちのいずれかの方法。  
３６．プロセッサは、ＰＡにマッピングされたＣＣについてＰＨを決定し、マッピングをｅＮＢに送信することを特徴とする実施形態２８〜３５のうちのいずれかの方法。  
３７．ＣＣ特有の最大電力のパラメータＰ−Ｍａｘは、ＷＴＲＵアップリンク送信電力を制限するためにコンポーネントキャリア毎にシグナリングされることを特徴とする実施形態２８〜３６のうちのいずれかの方法。  
３８．Ｐ−Ｍａｘは、シグナリングされず、無線送受信ユニット（ＷＴＲＵ）におけるＣＣ特有の最大送信電力は、適用可能な最大電力低減（ＭＰＲ）およびバンド端の考慮事項を考慮しＷＴＲＵ毎の能力に従って最大電力に設定されることを特徴とする実施形態２８〜３７のうちのいずれかの方法。  
３９．ＣＣ特有の最大送信電力構成は、ＣＣ毎の最大許容送信電力を含むシステム情報ブロック１（ＳＩＢ１）、ＳＩＢ３、ＳＩＢ５、およびＳＩＢ７の拡張のうちのどれかで置き換えられ、ＳＩＢ１内の情報要素（ＩＥ）は、ＣＣの数と最大送信電力との間の明示的なマッピングまたは最大許容電力値がシグナリングされる順序をサポートされているＣＣがシグナリングされる順序にマッピングする暗黙のマッピングのいずれかを含むことを特徴とする実施形態２８〜３８のうちのいずれかの方法。  
４０．サポートされているダウンリンク（ＤＬ）ＣＣがＳＩＢ１においてシグナリングされることを特徴とする実施形態２８〜３９のうちのいずれか１つの実施形態の方法。  
４１．明示的な信号マッピングは、Ｐ−Ｍａｘｌｎｆｏ＝｛（ＣＣ＿１，Ｐ−Ｍａｘ＿１），（ＣＣ＿２，Ｐ−Ｍａｘ＿２）．．．（ＣＣ＿Ｊ，Ｐ−Ｍａｘ＿Ｊ）｝として表され、Ｊは、サポートされ、特定のＷＴＲＵに詳細が送られるキャリアの総数を表すことを特徴とする実施形態２８〜４０のうちのいずれかの方法。  
４２．暗黙の信号マッピングは、Ｐ−Ｍａｘｌｎｆｏ＝｛Ｐ−Ｍａｘ＿１，Ｐ−Ｍａｘ＿２．．．Ｐ−Ｍａｘ＿Ｊ｝として表され、コンポーネントキャリアは、ＣＣ＿１、ＣＣ＿２、．．．、ＣＣ＿Ｊに対応する順序でシグナリングされるか、または知られており、Ｐ−Ｍａｘ＿１はＣＣ＿１の最大許容電力レベルであり、Ｐ−Ｍａｘ＿２はＣＣ＿２の最大許容電力レベルであり、Ｐ−Ｍａｘ＿ＪはＣＣ＿Ｊの最大許容電力レベルであり、Ｐ−Ｍａｘ値がシグナリングされる順序で、キャリアコンポーネントがシグナリングされるか、または知られる順序がマッピングされることを特徴とする実施形態２８〜４１のうちのいずれかの方法。  
４３．マッピングは、Ｐ−Ｍａｘ値がシグナリングされる順序でキャリアコンポーネントがシグナリングされるか、または知られる反転した順序がマッピングされると仮定してＰ−Ｍａｘ＿１がＣＣ＿Ｊの最大許容電力レベルであり、Ｐ−Ｍａｘ＿ＪがＣＣ＿１の最大許容電力レベルであるとして表されることを特徴とする実施形態２８〜４２のうちのいずれかの方法。  
４４．システム情報ブロックは、コンポーネントキャリアに基づくように複製され、Ｐ−Ｍａｘは、同様に、それぞれのコンポーネントキャリアについてシグナリングされることを特徴とする実施形態２８〜４３のうちのいずれかの方法。  
４５．Ｐ−ｍａｘ値は、基準Ｐ−Ｍａｘ値に関する絶対値または相対値のいずれかに関して表され、シグナリングを受けた後、ＣＣ特有の最大電力値を、即座に、またはＳＩＢ修正期間の規則に従って適用することを特徴とする実施形態２８〜４４のうちのいずれかの方法。  
４６．電力増幅器（ＰＡ）特有の最大電力パラメータはシグナリングされ、ＰＡ（ｋ）は、無線送受信ユニット（ＷＴＲＵ）によって決定されるようなＰAMAX（ｋ）で表される最大送信電力能力を有し、ＰAMAX（ｋ）は、ＷＴＲＵカテゴリの属性であることを特徴とする実施形態２８〜４５のうちのいずれかの方法。  
４７．それぞれのＰＡに対する個別の最大電力送信能力は、シグナリングされ、Ｋ個のＰＡについて、Ｋは最大送信電力能力であることを特徴とする実施形態２８〜４６のうちのいずれかの方法。  
４８．無線送受信ユニット（ＷＴＲＵ）並びにｅＮＢは、ＷＴＲＵ能力情報要素（ＩＥ）でＷＴＲＵによってｅＮＢに報告されるＷＴＲＵカテゴリインジケータに基づきＰＡ特有の最大送信電力能力を導出することを特徴とする実施形態２８〜４７のうちのいずれかの方法。  
４９．代替のＰＡ特有の最大送信電力能力は、ｅＮＢからＷＴＲＵにシグナリングされ、この代替の能力は、ＷＴＲＵからｅＮＢにシグナリングされるＰＡ値と異なる値を有することを特徴とする実施形態２８〜４８のうちのいずれかの方法。  
５０．代替の能力は、ＰＡが代替の最大送信電力能力を有しているかのようにＷＴＲＵが動作することを必要とし、代替の能力は、ＰＡの最大送信電力能力より低いものとしてよいことを特徴とする実施形態２８〜４９のうちのいずれかの方法。  
５１．コンポーネントキャリア特有の電力ヘッドルーム（ＰＨ）および電力増幅器（ＰＡ）特有の電力ヘッドルーム（ＰＨ）は、別々にシグナリングされることを特徴とする実施形態２８〜５０のうちのいずれかの方法。  
５２．Ｊ個のＣＣおよびＫ個のＰＡについて、Ｊ＋Ｋ個のヘッドルームの報告を必要とし、ＣＣ電力ヘッドルームは、ＣＣ最大送信電力レベルとＣＣ内の物理アップリンク共有チャネル（ＰＵＳＣＨ）送信に必要な送信電力との間の差であり、ＰＡ電力ヘッドルームは、ＰＡ最大送信電力レベルと、ＰＡ内のすべてのＰＵＳＣＨ送信に必要な送信電力との間の差であることを特徴とする実施形態２８〜５１のうちのいずれかの方法。  
５３．Ｊ個のＣＣに対するＰＨのみがシグナリングされ、ＣＣからＰＡへのマッピングに基づくＫ個のＰＡヘッドルーム、ＣＣヘッドルーム、それぞれのＣＣ＿Ｊに対するパラメータ（Ｐ−Ｍａｘ（ｊ））、およびＫ個のヘッドルームの報告の誘因となるＰＡ特有の最大送信電力は、Ｊ個のＣＣについてシグナリングされるＰＨから導出されることを特徴とする実施形態２８〜５２のうちのいずれかの方法。  
５４．それぞれのＣＣおよびＰＡに対する個別の送信電力レベルはシグナリングされることを特徴とする実施形態２８〜５３のうちのいずれかの方法。  
５５．Ｊ個のＣＣおよびＫ個のＰＡについて、Ｊ＋Ｋ個の送信電力の報告がシグナリングされ、ＰHCC（ｉ，ｊ）で表される、サブフレームｉ内のＣＣ  ｊに対するＰＨは、ＰHCC（ｉ，ｊ）＝Ｐ−Ｍａｘ（ｊ）−ＰCC（ｉ，ｊ）で与えられるように、ＣＣ送信電力レベルから決定され、式中、ＰCC（ｉ，ｊ）は、サブフレームｉ内のＣＣ（ｊ）における物理アップリンク共有チャネル（ＰＵＳＣＨ）送信に対する必要な送信電力であることを特徴とする実施形態２８〜５４のうちのいずれかの方法。  
５６．Ｊ個のＣＣおよびＫ個のＰＡについて、Ｊ＋Ｋ個の送信電力の報告がシグナリングされ、ＰHPA（ｉ，ｋ）で表される、サブフレームｉ内のＰＡ  ｋに対するＰＨは、ＰHCPA（ｉ，ｋ）＝ＰAMAX（ｋ）−ＰPA（ｉ，ｋ）で与えられるように、ＰＡ送信電力レベルから決定され、式中、ＰPA（ｉ，ｋ）は、サブフレームｉ内のＰＡ（ｋ）におけるすべての物理アップリンク共有チャネル（ＰＵＳＣＨ）送信に対する必要な送信電力であることを特徴とする実施形態２８〜５５のうちのいずれかの方法。  
５７．ヘッドルームまたは送信電力を報告するために、高度化ノードＢ（ｅＮＢ）は、送信（Ｔｘ）電力および／または電力ヘッドルーム（ＰＨ）がＷＴＲＵによって報告されるかどうかに関係なく無線送受信ユニット（ＷＴＲＵ）を構成し、Ｔｘ電力およびＰＨは、ＣＣ特有であり、および／またはＰＡ特有であるものとしてよいことを特徴とする実施形態２８〜５６のうちのいずれかの方法。  
５８．ＣＣ特有の送信電力のみがシグナリングされ、高度化ノードＢ（ｅＮＢ）は、ＰＡ送信電力レベルまたはヘッドルームを明示的にシグナリングすることなく、シグナリングされたＣＣ特有の送信電力から、ＰＡ特有のヘッドルームを決定することを特徴とする実施形態２８〜５７のうちのいずれかの方法。  
５９．Ｊ個の送信電力の報告のみがシグナリングされることを特徴とする実施形態２８〜５８のうちのいずれかの方法。  
６０．ＰHPA（ｉ，ｋ）で表される、サブフレームｉにおけるＰＡ  ｋに対するヘッドルームは、ＣＣ送信電力レベルとＣＣからＰＡへのマッピング
ＰHPA（ｉ，１）＝ＰAMAX（１）−ＰCC（ｉ，１）
ＰHPA（ｉ，２）＝ＰAMAX（２）−（ＰCC（ｉ，１）＋ＰCC（ｉ，２））
とから決定されることを特徴とする実施形態２８〜５９のうちのいずれかの方法。  
６１．ＰHCC（ｉ，ｊ）で表されるＣＣに対するヘッドルームは、ＰHCC（ｉ，ｊ）＝Ｐ−Ｍａｘ（ｊ）−ＰCC（ｉ，ｊ）として決定され、式中、ＰCC（ｉ，ｊ）は、サブフレームｉ内のＣＣ（ｊ）におけるＰＵＳＣＨ送信に対する必要な送信電力であることを特徴とする実施形態２８〜６０のうちのいずれかの方法。  
６２．コンポーネントキャリアに基づくサブフレーム内の同時物理アップリンク共有チャネル／物理アップリンク制御チャネル（ＰＵＳＣＨ／ＰＵＣＣＨ）送信の場合のＰＨの報告について、ＰＵＳＣＨ送信に利用可能な最大送信電力は、ＰＵＣＣＨ送信に割り当てられた送信電力の量だけ減らされ、ＰＵＣＣＨ電力は、同時ＰＵＳＣＨおよびＰＵＣＣＨ送信が行われるサブフレームにおけるＰＨの報告のために考慮されることを特徴とする実施形態２８〜６１のうちのいずれかの方法。  
６３．ＰＨに対する個別の報告は、それぞれ、ＰＵＳＣＨおよびＰＵＣＣＨについて作成されることを特徴とする実施形態２８〜６２のうちのいずれかの方法。  
６４．高度化ノードＢ（ｅＮＢ）は、キャリアアグリゲーションにおいて送信（Ｔｘ）電力／ＰＨの報告を構成することを特徴とする実施形態２８〜６３のうちのいずれかの方法。  
６５．ｅＮＢは、無線送受信ユニット（ＷＴＲＵ）を、ＷＴＲＵが装備するＰＡの数がＷＴＲＵクラス（カテゴリ）によっては異なること、ＷＴＲＵに対するコンポーネントキャリア（ＣＣ）の構成がＷＴＲＵクラス、サービス品質（ＱｏＳ）要件、ＣＣの可用性を含むファクタに依存すること、またはＣＣ上の送信電力／ＰＨが連続するＣＣの割り当てに対して他のＣＣ上のものに近くてもよいことのうちのどれかに応じて構成することを特徴とする実施形態２８〜６４のうちのいずれかの方法。  
６６．ｅＮＢは、ＣＣ毎に、またはＣＣのグループ毎に（連続するＣＣのように）、またはキャリアアグリゲーションの割り当ておよび／またはＷＴＲＵ  ＰＡ構成および他のいくつかのシステムパラメータに基づくすべてのアクティブな／構成されたＣＣ上で、Ｔｘ電力−ＰＨを報告するようにＷＴＲＵを構成することを特徴とする実施形態２８〜６５のうちのいずれかの方法。  
６７．ＷＴＲＵは、代替として、どのＴｘ電力−ＰＨを報告するかを自律的に決定することを特徴とする実施形態２８〜６６のうちのいずれかの方法。  
６８．ＣＣ間の電力の差が所定の値以下であり、次いで、ＷＴＲＵは、すべての関連するＣＣ上でＴｘ電力−ＰＨを報告しないが、ＷＴＲＵは、すべてのＣＣを表す単一の報告をシグナリングすることを特徴とする実施形態２８〜２９のうちのいずれかの方法。  
６９．連続するコンポーネントキャリアの場合、ＷＴＲＵは、代表するＣＣに対応するＴｘ電力−ＰＨを報告し、代表的なＣＣは、中間のＣＣであるか、またはキャリア周波数が最低であるか、もしくは最高であるＣＣであることを特徴とする実施形態２８〜６８のうちのいずれかの方法。  
７０．論理チャネルＩＤ（ＬＣＩＤ）１１０１０を有する媒体アクセス制御（ＭＡＣ）パケットデータユニット（ＰＤＵ）のサブヘッダは、ＰＨ制御要素を識別するために使用され、１５個の予約論理チャネルの集合がＣＣ特有の、またはＰＡ特有のＰＨの報告に再利用されることを特徴とする実施形態２８〜６９のうちのいずれかの方法。  
７１．論理チャネルは、１０進法のＬＣＩＤ  １１から２７に対応する、２進数０１０１１から１１００１までのロケーションにおいて予約されることを特徴とする実施形態２８〜７０のうちのいずれかの方法。  
７２．ＭＡＣの構成について、無線リソース制御（ＲＲＣ）メッセージが高度化ノードＢ（ｅＮＢ）と無線送受信ユニット（ＷＴＲＵ）との間で交換され、ＣＣおよびＰＨの報告の論理チャネルの間のマッピングがさらに定義され、ＷＴＲＵは、ｅＮＢが備えるＣＣとＰＨの論理チャネルの間のマッピングに基づいてＰＨの報告を構成することを特徴とする実施形態２８〜７１のうちのいずれかの方法。  
７３．ＷＴＲＵは、マッピングを自律的に定義し、定義されたマッピングを、ＲＲＣメッセージを使ってｅＮＢにシグナリングすることを特徴とする実施形態２８〜７２のうちのいずれかの方法。  
７４．ＣＣ特有の、およびＰＡ特有のＰＨは、８ビットの集合からいくつかの６ビットの組合せによって定義され、ＷＴＲＵは、８ビットの集合からいくつかの６ビットの組合せを定義することによってＣＣ特有の、およびＰＡ特有のＰＨを報告することを特徴とする実施形態２８〜７３のうちのいずれかの方法。  
７５．ＭＡＣ報告アルゴリズムは、ＰＨの報告に関して制御され、制御は、ＣＣに基づき、またＰＡに基づきＭＡＣ報告アルゴリズムを適用するステップと、ＷＴＲＵのＣＣ特有の、およびＰＡ特有のＰＨグループ化が適用される、グループに基づくＭＡＣ報告アルゴリズムを適用するステップと、個別およびグループに基づきＭＡＣ報告アルゴリズムを適用するステップのうちのどれかからなることを特徴とする実施形態２８〜７４のうちのいずれかの方法。  
７６．ＭＡＣ報告アルゴリズムは、報告に関して最適化された条件を含み、報告パラメータとして、ＰＲＯＨＩＢＩＴ＿ＰＨＲ＿ＴＩＭＥＲ、ＰＥＲＩＯＤＩＣ  ＰＨＲ  ＴＩＭＥＲ、周期的ＰＨＲ、または周期的ＰＨＲの構成および再構成のうちのどれかを含むことを特徴とする実施形態２８〜７５のうちのいずれかの方法。  
７７．ＭＡＣ報告アルゴリズムは、ＣＣに基づき、またＰＡに基づき適用され、ＰＨの報告に対するＭＡＣの構成は、ＣＣに基づき、またＰＡに基づきｅＮＢによってＷＴＲＵに送られ、これらの構成を受け取った後、ＷＴＲＵは、それらをＣＣに基づき、またＰＡに基づき適用することもできることを特徴とする実施形態２８〜７６のうちのいずれかの方法。  
７８．ＭＡＣ報告アルゴリズムは、グループに基づいて適用され、ＷＴＲＵのＣＣ特有の、およびＰＡ特有のＰＨのグループ化が適用され、ＣＣおよびＰＡは、ＰＨの報告を制御することを目的としてグループ化され、ＷＴＲＵは、自律的に、またはｅＮＢと協働してグループ化を決定し、同じグループ内のＣＣおよびＰＡの集合は、報告構成パラメータを使用して報告されるＰＨであることを特徴とする実施形態２８〜７７のうちのいずれかの方法。  
７９．ＣＣに基づき、ＰＡに基づき、またはＣＣとＰＡの組合せに基づきＰＨの報告を無効にする装備を備え、関連するＣＣおよびＰＡについてＰＨの報告をｅＮＢが示すか、またはＷＴＲＵが自律的に決定し、無効にすることを特徴とする実施形態２８〜７８のうちのいずれかの方法。  
８０．無線リソース制御（ＲＲＣ）レイヤは、ＰＨの報告用に媒体アクセス制御（ＭＡＣ）レイヤを再構成し、ＲＲＣプロトコルを更新し、ＣＣおよびＰＡのＰＨの報告プロシージャがサポートされるようにＭＡＣを構成することを特徴とする実施形態２８〜７９のうちのいずれかの方法。  
８１．再構成には、ＭＡＣ構成情報要素（ＩＥ）MAC-MainConfigurationをそれぞれのＣＣおよびそれぞれのＰＡについて複製すること、既存のＭＡＣ構成ＩＥ、MAC-MainConfiguration内に含まれ、ＣＣ毎に、またＰＡ毎に複製される、ＰＨの構成ＩＥのＰＨの報告／構成、他のＲＲＣプロトコルの更新がＣＣ特有の最大電力およびＰＡ特有の最大電力をサポートするシステム情報ブロック（ＳＩＢ）の更新を含むことが含まれることを特徴とする実施形態２８〜８０のうちのいずれかの方法。
【０２５４】
特徴および要素が特定の組合せで上記で説明されているが、当業者であれば、それぞれの特徴もしくは要素は単独で、または他の特徴および要素と組み合わせて使用できることを理解するであろう。それに加えて、本明細書で説明されている方法は、コンピュータまたはプロセッサにより実行できるようにコンピュータ可読媒体内に組み込まれたコンピュータプログラム、ソフトウェア、またはファームウェアにより実装されうる。コンピュータ可読媒体の例としては、電子信号（有線で、またはワイヤレス接続で送信される）およびコンピュータ可読記憶媒体が挙げられる。コンピュータ可読記憶媒体の例としては、限定はしないが、ＲＯＭ、ＲＡＭ、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびＤＶＤ（デジタル多用途ディスク）などの光学媒体が挙げられる。ソフトウェアとの関連性を持つプロセッサは、ＷＴＲＵ、ＵＥ、端末、基地局、ＲＮＣ、またはホストコンピュータにおいて使用するための無線周波トランシーバを実装するために使用できる。
【図１Ａ】
0005555326.tif 000053
【図１Ｂ】
0005555326.tif 000054
【図１Ｃ】
0005555326.tif 000055
【図２】
0005555326.tif 000056
【図３】
0005555326.tif 000057
【図４】
0005555326.tif 000058
【図５】
0005555326.tif 000059